(57)【要約】 【課題】エレベーターシャフト等のブロック積重構造物を構築するに際し、ブロックの寸法精度が良好でない場合であってもブロックの高さ調整を正確にしかも作業性よく行うことのできるブロックの高さ調整具を提供する。【解決手段】上下のブロック間に所要間隙Ｇを設けて上のブロックＢａを下のブロックＢｂに対して高さ調整し、その状態を保持させるブロックの高さ調整具である。下のブロックＢｂに着脱可能に固定される下の固定部材６１と、上のブロックＢａに着脱可能に固定される上の固定部材６２を具える。上の固定部材６２の水平片１０６と、下の固定部材６１の水平片７３には、調整ボルト６３を横方向に着脱可能に嵌入させる欠切部１０９，８１が設けられている。調整ボルト６３の上側雄ネジ部６５と下側雄ネジ部６９の夫々には、上下のナット部材６６，６７、７０，７１が螺合されている。上下のナット部材を螺合操作して上のブロックを高さ調整する。【選択図】図２
2007269454.tif 000002
【特許請求の範囲】
【請求項１】
上下のブロック間に所要間隙を設けて該上のブロックを該下のブロックに対して高さ調整し、該高さ調整された状態を保持させるためのブロックの高さ調整具であって、該下のブロックに着脱可能に固定され且つ水平状態に突出する下の水平片を具える下の固定部材と、該上のブロックに着脱可能に固定され且つ水平状態に突出する上の水平片を具える上の固定部材と、該上下の水平片に対して着脱可能の調整ボルトを具え、該下の水平片と該上の水平片には、前記調整ボルトを横方向に着脱可能に嵌入させるための欠切部が設けられており、又、該調整ボルトの上側雄ネジ部には、前記上の水平片を上下から締め付け状態で挾持する上下のナット部材が螺合される一方、該調整ボルトの下側雄ネジ部には、前記下の水平片を上下から締め付け状態で挾持する上下のナット部材が螺合されていることを特徴とするブロックの高さ調整具。
【請求項２】
上下のブロック間に所要間隙を設けて該上のブロックを該下のブロックに対して高さ調整し、該高さ調整された状態を保持させるためのブロックの高さ調整具であって、該下のブロックに着脱可能に固定され且つ水平状態に突出する下の水平片を具える下の固定部材と、該上のブロックに着脱可能に固定され且つ水平状態に突出する上の水平片を具える上の固定部材と、該上下の水平片に対して着脱可能の調整ボルトを具え、該下の水平片と該上の水平片には、前記調整ボルトを横方向に着脱可能に嵌入させるための欠切部が設けられており、又、該調整ボルトの上側雄ネジ部には、前記上の水平片を上下から締め付け状態で挾持する上下のナット部材が螺合される一方、該調整ボルトの下端にボルト頭部が設けられ、且つ該ボルト頭部の上側に位置させて、該ボルト頭部と協働して前記下の水平片を締め付け状態で挾持するナット部材が前記調整ボルトの下側雄ネジ部に螺合されていることを特徴とするブロックの高さ調整具。
【請求項３】
上下のブロック間に所要間隙を設けて該上のブロックを該下のブロックに対して高さ調整し、該高さ調整された状態を保持させるためのブロックの高さ調整具であって、該下のブロックに着脱可能に固定され且つ水平状態に突出する下の水平片を具える下の固定部材と、該上のブロックに着脱可能に固定され且つ水平状態に突出する上の水平片を具える上の固定部材と、該上下の水平片に対して着脱可能の調整ボルトを具え、該下の水平片と該上の水平片には、前記調整ボルトを横方向に着脱可能に嵌入させるための欠切部が設けられており、又、該調整ボルトの下側雄ネジ部には、前記下の水平片を上下から締め付け状態で挾持する上下のナット部材が螺合される一方、該調整ボルトの上端にボルト頭部が設けられ、且つ該ボルト頭部の下側に位置させて、該ボルト頭部と協働して前記上の水平片を締め付け状態で挾持するナット部材が前記調整ボルトに螺合されていることを特徴とするブロックの高さ調整具。
【請求項４】
前記上の水平片に、前記調整ボルトが該上の水平片に設けられている前記欠切部の開放端に向けて移動するのを阻止するように前記ナット部材と当接状態に係合し得る規制係合部が設けられると共に、前記下の水平片に、前記調整ボルトが該下の水平片に設けられている前記欠切部の開放端に向けて移動するのを阻止するように前記ナット部材と当接状態に係合し得る規制係合部が設けられていることを特徴とする請求項１記載のブロックの高さ調整具。
【請求項５】
前記上の水平片に、前記調整ボルトが該上の水平片に設けられている前記欠切部の開放端に向けて移動するのを阻止するように前記ナット部材と当接状態に係合し得る規制係合部が設けられると共に、前記下の水平片に、前記調整ボルトが該下の水平片に設けられている前記欠切部の開放端に向けて移動するのを阻止するように前記ナット部材又は前記ボルト頭部と当接状態に係合し得る規制係合部が設けられていることを特徴とする請求項２記載のブロックの高さ調整具。
【請求項６】
前記上の水平片に、前記調整ボルトが該上の水平片に設けられている前記欠切部の開放端に向けて移動するのを阻止するように前記ナット部材又は前記ボルト頭部と当接状態に係合し得る規制係合部が設けられると共に、前記下の水平片に、前記調整ボルトが該下の水平片に設けられている前記欠切部の開放端に向けて移動するのを阻止するように前記ナット部材と当接状態に係合し得る規制係合部が設けられていることを特徴とする請求項３記載のブロックの高さ調整具。
【請求項７】
前記ナット部材は座金を具え、該座金の縁部が前記規制係合部に当接状態に係合し得ることを特徴とする請求項４、５又は６記載のブロックの高さ調整具。
【請求項８】
前記ボルト頭は座金を具え、該座金の縁部が前記規制係合部と当接状態に係合し得ることを特徴とする請求項５又は６記載のブロックの高さ調整具。
【請求項９】
前記上のブロックを前記下のブロックに向けて吊り下ろす際に該上のブロックの縁部をガイドするガイド片が前記下の固定部材に設けられており、該ガイド片は、前記縁部を上下方向でガイドする垂直ガイト面を具えた垂直ガイド片部の上端に、前記縁部を前記垂直ガイド面に向けてガイドする、外方に向けて上方に傾斜する傾斜ガイド面を具えた傾斜ガイド片部が連設されてなることを特徴とする請求項１〜８の何れかに記載のブロックの高さ調整具。
【請求項１０】
前記上のブロックを前記下のブロックに向けて吊り下ろす際に該下のブロックの縁部をガイドするガイド片が前記上の固定部材に設けられており、該ガイド片は、前記縁部を上下方向でガイドする垂直ガイド面を具えた垂直ガイド片部の下端に、前記縁部を前記垂下ガイド面に向けてガイドする、外方に向けて下方に傾斜する傾斜ガイド面を具えた傾斜ガイド片部が連設されてなることを特徴とする請求項１〜８の何れかに記載のブロックの高さ調整具。
【請求項１１】
上下のブロック間に周方向に連続して介在された弾性止水材を圧縮状態にして、該上下のブロック間に所要間隙を設けて該上のブロックを該下のブロックに対して高さ調整して該高さ調整された状態を保持させる際に請求項１記載のブロックの高さ調整具を用いるブロック積重方法であって、
前記上のブロックを前記下のブロックの前記弾性止水材上に載置して後、前記上下の固定部材が前記上下のブロックに固定された状態で、上側雄ネジ部の上下に所要間隔を置いて前記上下のナット部材が螺合されると共に下側雄ネジ部の上下に所要間隔を置いて前記上下のナット部材が螺合されてなる前記調整ボルトを、該上側雄ネジ部に螺合されている前記上下のナット部材間と、該下側雄ネジ部に螺合されている前記上下のナット部材間に、前記上下の水平片に設けられている上下の切欠部が介在するように、該上下の欠切部に横方向に嵌入させ、前記下側雄ネジ部の上下のナット部材を締め付けて前記下の水平片を挾持状態として後、前記上側雄ネジ部のナット部材を螺合操作することによって、前記上の固定部材を介して前記上のブロックの高さ調整を行うと共に、該高さ調整された状態で前記弾性止水材を、止水を確保できる所要の圧縮状態とし、この状態で、該上下のナット部材を締め付けて前記上の水平片を挾持状態とし、その後、該弾性止水材によって囲まれた充填空間に液状充填材を充填し、該液状充填材が硬化した後に、前記上側雄ネジ部のナット部材と前記下側雄ネジ部のナット部材を緩めて前記調整ボルトを横移動させることによって該調整ボルトを前記上下の水平片から取り外すと共に、前記上下の固定部材を上下のブロックから取り外すことを特徴とするブロック積重方法。
【請求項１２】
上下のブロック間に周方向に連続して介在された弾性止水材を圧縮状態にして、該上下のブロック間に所要間隙を設けて該上のブロックを該下のブロックに対して高さ調整して該高さ調整された状態を保持させる際に請求項１記載のブロックの高さ調整具を用いるブロック積重方法であって、
前記上のブロックを前記下のブロックの前記弾性止水材上に載置して後、前記上下の固定部材が前記上下のブロックに固定された状態で、上側雄ネジ部の上下に所要間隔を置いて前記上下のナット部材が螺合されると共に下側雄ネジ部の上下に所要間隔を置いて前記上下のナット部材が螺合されてなる前記調整ボルトを、該上側雄ネジ部に螺合されている前記上下のナット部材間と、該下側雄ネジ部に螺合されている前記上下のナット部材間に、前記上下の水平片に設けられている上下の切欠部が介在するように、該上下の欠切部に横方向に嵌入させ、前記上側雄ネジ部のナット部材を締め付けて前記上の水平片を挾持状態として後、前記下側雄ネジ部のナット部材を螺合操作することによって、前記上の固定部材を介して前記上のブロックの高さ調整を行うと共に、該高さ調整された状態で前記弾性止水材を、止水を確保できる所要の圧縮状態とし、この状態で、該上下のナット部材を締め付けて前記下の水平片を挾持状態とし、その後、該弾性止水材によって囲まれた充填空間に液状充填材を充填し、該液状充填材が硬化した後に、前記上側雄ネジ部のナット部材と前記下側雄ネジ部のナット部材を緩めて前記調整ボルトを横移動させることによって該調整ボルトを前記上下の水平片から取り外すと共に、前記上下の固定部材を上下のブロックから取り外すことを特徴とするブロック積重方法。
【請求項１３】
上下のブロック間に周方向に連続して介在された弾性止水材を圧縮状態にして、該上下のブロック間に所要間隙を設けて該上のブロックを該下のブロックに対して高さ調整して該高さ調整された状態を保持させる際に請求項２記載のブロックの高さ調整具を用いるブロック積重方法であって、
前記上のブロックを前記下のブロックの前記弾性止水材上に載置して後、前記上下の固定部材が前記上下のブロックに固定された状態で、上側雄ネジ部の上下に所要間隔を置いて前記上下のナット部材が螺合されると共に下側雄ネジ部に前記ナット部材が螺合されてなる前記調整ボルトを、該上側雄ネジ部に螺合されている前記上下のナット部材間と、該下側雄ネジ部に螺合されている前記ナット部材と前記ボルト頭部との間に、前記上下の水平片に設けられている上下の切欠部が介在するように、該上下の欠切部に横方向に嵌入させ、前記下側雄ネジ部のナット部材を締め付けて該ナット部材と前記ボルト頭部との間で前記下の水平片を挾持状態として後、前記上側雄ネジ部のナット部材を螺合操作することによって、前記上の固定部材を介して前記上のブロックの高さ調整を行うと共に、該高さ調整された状態で前記弾性止水材を、止水を確保できる所要の圧縮状態とし、この状態で、前記上側雄ネジ部の前記上下のナット部材を締め付けて前記上の水平片を挾持状態とし、その後、該弾性止水材によって囲まれた充填空間に液状充填材を充填し、該液状充填材が硬化した後に、前記上側雄ネジ部のナット部材と前記下側雄ネジ部のナット部材を緩めて前記調整ボルトを横移動させることによって該調整ボルトを前記上下の水平片から取り外すと共に、前記上下の固定部材を上下のブロックから取り外すことを特徴とするブロック積重方法。
【請求項１４】
上下のブロック間に周方向に連続して介在された弾性止水材を圧縮状態にして、該上下のブロック間に所要間隙を設けて該上のブロックを該下のブロックに対して高さ調整して該高さ調整された状態を保持させる際に請求項３記載のブロックの高さ調整具を用いるブロック積重方法であって、
前記上のブロックを前記下のブロックの前記弾性止水材上に載置して後、前記上下の固定部材が前記上下のブロックに固定された状態で、上側雄ネジ部に前記ナット部材が螺合されると共に下側雄ネジ部の上下に所要間隔を置いて前記上下のナット部材が螺合されてなる前記調整ボルトを、該上側雄ネジ部に螺合されている前記ナット部材と前記ボルト頭部との間と、該下側雄ネジ部に螺合されている前記上下のナット部材間に、前記上下の水平片に設けられている上下の切欠部が介在するように、該上下の欠切部に横方向に嵌入させ、前記上側雄ネジ部のナット部材を締め付けて該ナット部材と前記ボルト頭部との間で前記上の水平片を挾持状態として後、前記下側雄ネジ部のナット部材を螺合操作することによって、前記上の固定部材を介して前記上のブロックの高さ調整を行うと共に、該高さ調整された状態で前記弾性止水材を、止水を確保できる所要の圧縮状態とし、この状態で、前記下側雄ネジ部の前記上下のナット部材を締め付けて前記下の水平片を挾持状態とし、その後、該弾性止水材によって囲まれた充填空間に液状充填材を充填し、該液状充填材が硬化した後に、前記下側雄ネジ部のナット部材と前記上側雄ネジ部のナット部材を緩めて前記調整ボルトを横移動させることによって該調整ボルトを前記上下の水平片から取り外すと共に、前記上下の固定部材を上下のブロックから取り外すことを特徴とするブロック積重方法。
【請求項１５】
前記上下のブロックは、エレベーターシャフトを構成するブロックであって、前記上下の固定部材は該上下のブロックの内面の所要部位に固定されることを特徴とする請求項１１〜１４の何れかに記載のブロック積重方法。
【発明の詳細な説明】
【技術分野】
【０００１】
本発明は、ブロックの高さ調整具に関するものであり、又、これを用いるブロック積重方法に関するものである。より詳しくは、エレベータが設置されていない既設の４階建てや５階建てのような中層集合住宅にエレベータを簡易に設置するためのエレベータシャフト等を構築する際に、上下のブロック間に所要間隙を設けて該上のブロックを該下のブロックに対して高さ調整し、該高さ調整された状態を保持させ、最終的には上下のブロックから取り外し容易なブロックの高さ調整具に関するものであり、又、該ブロックの高さ調整具を用いるブロック積重方法に関するものである。
【背景技術】
【０００２】
エレベータが設置されていない既設の４階建てや５階建てのような中層集合住宅にエレベータを簡易に設置する目的でエレベータシャフトを構築することが行われているが、その一例として特開２０００−１８５８８４号公報が開示する構築工法が提案されている。  
【０００３】
この構築工法は、平面形状が略コ字形を呈するブロックの複数を基礎上に積み重ねることによりエレベータシャフトを構築するのであり、積み重ねられるブロックの接合面に接着材を塗布することにより各ブロックを一体化し、基礎内に下端部を埋め込んだ高張力の軸芯（ＰＣ鋼棒等の軸芯）を、上下連続する鉛直方向の連通孔に挿通し、その高張力の軸芯の少なくとも上端部をブロックの最上部で引っ張り、最上層のブロックを下方へ押圧することにより、積み重ねられたブロック同士を締め付け、高張力の軸芯が挿通された挿通孔内にモルタルを充填する構成を採用していた。
【０００４】
かかるエレベータシャフトは、前記のように、積み重ねられるブロックの接合面に接着材を塗布することにより各ブロックを一体化するものであったため、寸法精度の高いブロックを用いなければエレベータシャフトの各部を精度よく構築できないと考えられる。積重して構築されるエレベータシャフトの精度がブロックの製造誤差に左右されるからである。各ブロックの製造方法が同公報には明記されていないが、各ブロックを精度よく製造するためには、通常はマッチキャストの製造方法によらざるを得ないと考えられる。しかしながらマッチキャストの製造方法は、一方向に延長する長尺の定盤上で、製造済みのブロックを型枠代わりにして順を追ってブロックを製造していく方法であるために、生産性が非常に悪く製造コストの上昇を招く問題があった他、作業スペースの有効活用が図れない問題もある等、実用性に乏しい製造方法であった。
【０００５】
このような問題点を解決するために、特開２００４−３５２４５７号公報が開示するエレベータシャフトにおけるシャフトユニット（ブロック）の接合構造が提案されている。該接合構造において、シャフトユニット同士又は基礎ユニット上にシャフトユニットを接合する際に、先ず、下部側柱部より突出する主筋廻りにレベル及び高さ調整用の複数の鉄板ライナーを設置してレベル調整を行い、且つ周囲にはモルタルの漏れ防止用のシリコンスポンジゴムを設置しておき、上部側のユニットを吊り降ろして下部側主筋の突出端をスリーブ内に位置させる構成が採用されている。このような構成を採用することにより、ブロックに製造誤差が生じている場合であっても鉄板ライナーによって所要のレベル及び高さを調整し得る利点があった。
【０００６】
しかしながら、かかる鉄板ライナーによってレベル及び高さの調整をせんとするときは、使用する鉄板の厚さに制約されるために精度の高い調整を行うことができない問題があったばかりか、設置された鉄板ライナーが障害となって、注入されたモルタルが各部に均一に行き渡らない場合が生じた。又、ブロックの製造誤差によって、積重されるシャフトユニットの下面が全ての鉄板ライナーの上面に正しく当接するとは限らず浮いた部分が生じやすく、このようになると、鉄板ライナーの上面と上のシャフトユニットの下面との間にモルタルが正しく充填されない場合も生じた。その結果、充填されたモルタルによる支持力が不完全となって、例えば地震発生時等において、エレベータシャフトの強度が不安定化する恐れがあった。
【０００７】
このような問題点を解決するために、同公報が開示する図面の図４に記載されているような、上下端にナットが螺合されたボルトと、接合されるべきシャフトユニット（ブロック）の上下端側に夫々固定されたＬ型ブラケットとからなる調整連結具を介し、該ナットの螺合操作によって精度よく高さ調整する手段が提案されていた。かかる調整連結具を用いて上下のシャフトユニット（ブロック）同士を連結する手段によるときは、レベル及び高さ調整を精度よく行うことができると共に、上下のシャフトユニット間に形成された間隙には前記したような鉄板ライナーが存在しないために、該間隙の各部にモルタルを均一に充填させることができる利点もあった。
【０００８】
しかしながら該調整連結具を用いる場合は、ブラケットやボルト、ナットがシャフトユニット（ブロック）の外面に露出状態となるために、エレベータシャフトの見栄えが悪いだけでなく、エレベータ昇降路の有効面積を狭めてしまうという問題があった。
【０００９】
かかるボルトやナットをブロックの内側に納めた状態でブロック相互を連結する手段の一つとして、特開平９−１２５４１８号公報が開示するものが提案されている。しかしながら、ブロックに設けた挿通孔を挿通するボルトやナット等を用いる該ブロック相互の連結手段は、ブロック相互を連結した後にこれらを取り外して再利用することは予定されていなかった。仮に、連結されたブロック間に形成された間隙にモルタル等を充填して後、これらを取り外して再利用せんとしても、ナットを外した後でなければ、ブラケットやブロックに設けた挿通孔からボルトを取り外すことができないために、ボルトやナット、ブラケット等の再利用のために多くの手間を要して作業能率が悪い問題が発生することになり、実用的でなかった。
【００１０】
【特許文献１】特開２０００−１８５８８４号公報（４−５頁、図１、図２）
【特許文献２】特開２００４−３５２４５７号公報（３頁、図３、図４）
【特許文献３】特開平９−１２５４１８号公報（４頁、図２）
【発明の開示】
【発明が解決しようとする課題】
【００１１】
本発明は、前記問題点に鑑みて開発されたものであり、ブロックを積重してエレベータシャフトや煙突、擁壁等のブロック積重構造物を構築するに際して、ブロックの寸法精度が良好でない場合であってもブロックの高さ調整を正確に然も能率的に行うことができ、その上、高さ調整のための調整ボルトをブロックに取り付けたり取り外したりするのが容易であって作業性に優れるブロックの高さ調整具の提供を課題とするものである。又、該高さ調整具を用いてブロックを精度よく然も能率的に積重可能なブロック積重方法の提供を課題とするものである。
【課題を解決するための手段】
【００１２】
前記課題を解決するため、本発明は以下の手段を採用する。
即ち本発明に係るブロックの高さ調整具の第１の態様は、上下のブロック間に所要間隙を設けて該上のブロックを該下のブロックに対して高さ調整し、該高さ調整された状態を保持させるためのブロックの高さ調整具であって、該下のブロックに着脱可能に固定され且つ水平状態に突出する下の水平片を具える下の固定部材と、該上のブロックに着脱可能に固定され且つ水平状態に突出する上の水平片を具える上の固定部材と、該上下の水平片に対して着脱可能の調整ボルトを具え、該下の水平片と該上の水平片には、前記調整ボルトを横方向に着脱可能に嵌入させるための欠切部が設けられており、又、該調整ボルトの上側雄ネジ部には、前記上の水平片を上下から締め付け状態で挾持する上下のナット部材が螺合される一方、該調整ボルトの下側雄ネジ部には、前記下の水平片を上下から締め付け状態で挾持する上下のナット部材が螺合されていることを特徴とするものである。
【００１３】
本発明に係るブロックの高さ調整具の第２の態様は、上下のブロック間に所要間隙を設けて該上のブロックを該下のブロックに対して高さ調整し、該高さ調整された状態を保持させるためのブロックの高さ調整具であって、該下のブロックに着脱可能に固定され且つ水平状態に突出する下の水平片を具える下の固定部材と、該上のブロックに着脱可能に固定され且つ水平状態に突出する上の水平片を具える上の固定部材と、該上下の水平片に対して着脱可能の調整ボルトを具え、該下の水平片と該上の水平片には、前記調整ボルトを横方向に着脱可能に嵌入させるための欠切部が設けられており、又、該調整ボルトの上側雄ネジ部には、前記上の水平片を上下から締め付け状態で挾持する上下のナット部材が螺合される一方、該調整ボルトの下端にボルト頭部が設けられ、且つ該ボルト頭部の上側に位置させて、該ボルト頭部と協働して前記下の水平片を締め付け状態で挾持するナット部材が前記調整ボルトの下側雄ネジ部に螺合されていることを特徴とするものである。
【００１４】
本発明に係るブロックの高さ調整具の第３の態様は、上下のブロック間に所要間隙を設けて該上のブロックを該下のブロックに対して高さ調整し、該高さ調整された状態を保持させるためのブロックの高さ調整具であって、該下のブロックに着脱可能に固定され且つ水平状態に突出する下の水平片を具える下の固定部材と、該上のブロックに着脱可能に固定され且つ水平状態に突出する上の水平片を具える上の固定部材と、該上下の水平片に対して着脱可能の調整ボルトを具え、該下の水平片と該上の水平片には、前記調整ボルトを横方向に着脱可能に嵌入させるための欠切部が設けられており、又、該調整ボルトの下側雄ネジ部には、前記下の水平片を上下から締め付け状態で挾持する上下のナット部材が螺合される一方、該調整ボルトの上端にボルト頭部が設けられ、且つ該ボルト頭部の下側に位置させて、該ボルト頭部と協働して前記上の水平片を締め付け状態で挾持するナット部材が前記調整ボルトに螺合されていることを特徴とするものである。
【００１５】
前記第１の態様において、前記上の水平片に、前記調整ボルトが該上の水平片に設けられている前記欠切部の開放端に向けて移動するのを阻止するように前記ナット部材と当接状態に係合し得る規制係合部を設けると共に、前記下の水平片に、前記調整ボルトが該下の水平片に設けられている前記欠切部の開放端に向けて移動するのを阻止するように前記ナット部材と当接状態に係合し得る規制係合部を設けるのがよい。
【００１６】
前記第２の態様において、前記上の水平片に、前記調整ボルトが該上の水平片に設けられている前記欠切部の開放端に向けて移動するのを阻止するように前記ナット部材と当接状態に係合し得る規制係合部を設けると共に、前記下の水平片に、前記調整ボルトが該下の水平片に設けられている前記欠切部の開放端に向けて移動するのを阻止するように前記ナット部材又は前記ボルト頭部と当接状態に係合し得る規制係合部を設けるのがよい。
【００１７】
前記第３の態様において、前記上の水平片に、前記調整ボルトが該上の水平片に設けられている前記欠切部の開放端に向けて移動するのを阻止するように前記ナット部材又は前記ボルト頭部と当接状態に係合し得る規制係合部を設けると共に、前記下の水平片に、前記調整ボルトが該下の水平片に設けられている前記欠切部の開放端に向けて移動するのを阻止するように前記ナット部材と当接状態に係合し得る規制係合部を設けるのがよい。
【００１８】
このように規制係合部を設ける場合、前記ナット部材は座金を具えたものとし、該座金の縁部が前記規制係合部に当接状態に係合し得るように構成するのがよい。又、このように規制係合部を設ける場合で、前記調整ボルトがボルト頭を有する場合、該ボルト頭は座金を具えたものとし、該座金の縁部が前記規制係合部と当接状態に係合し得るように構成するのがよい。
【００１９】
前記各ブロックの高さ調整具において、前記上のブロックを前記下のブロックに向けて吊り下ろす際に該上のブロックの縁部をガイドするガイド片が前記下の固定部材に設けられたものとし、該ガイド片は、前記縁部を上下方向でガイドする垂直ガイト面を具えた垂直ガイド片部の上端に、前記縁部を前記垂直ガイド面に向けてガイドする、外方に向けて上方に傾斜する傾斜ガイド面を具えた傾斜ガイド片部が連設されたものとして構成するのがよい。
【００２０】
又前記各ブロックの高さ調整具において、前記上のブロックを前記下のブロックに向けて吊り下ろす際に該下のブロックの縁部をガイドするガイド片が前記上の固定部材に設けられたものとし、該ガイド片は、前記縁部を上下方向でガイドする垂直ガイド面を具えた垂直ガイド片部の下端に、前記縁部を前記垂下ガイド面に向けてガイドする、外方に向けて下方に傾斜する傾斜ガイド面を具えた傾斜ガイド片部が連設されたものとして構成するのがよい。
【００２１】
本発明に係るブロック積重方法は、上下のブロック間に周方向に連続して介在された弾性止水材を圧縮状態にして、該上下のブロック間に所要間隙を設けて該上のブロックを該下のブロックに対して高さ調整して該高さ調整された状態を保持させる際に前記第１の態様に係るブロックの高さ調整具を用いるブロック積重方法であって、前記上のブロックを前記下のブロックの前記弾性止水材上に載置して後、前記上下の固定部材が前記上下のブロックに固定された状態で、上側雄ネジ部の上下に所要間隔を置いて前記上下のナット部材が螺合されると共に下側雄ネジ部の上下に所要間隔を置いて前記上下のナット部材が螺合されてなる前記調整ボルトを、該上側雄ネジ部に螺合されている前記上下のナット部材間と、該下側雄ネジ部に螺合されている前記上下のナット部材間に、前記上下の水平片に設けられている上下の切欠部が介在するように、該上下の欠切部に横方向に嵌入させ、前記下側雄ネジ部の上下のナット部材を締め付けて前記下の水平片を挾持状態とする。その後、前記上側雄ネジ部のナット部材を螺合操作することによって、前記上の固定部材を介して前記上のブロックの高さ調整を行うと共に、該高さ調整された状態で前記弾性止水材を、止水を確保できる所要の圧縮状態とし、この状態で、該上下のナット部材を締め付けて前記上の水平片を挾持状態とする。その後、該弾性止水材によって囲まれた充填空間に液状充填材を充填し、該液状充填材が硬化した後に、前記上側雄ネジ部のナット部材と前記下側雄ネジ部のナット部材を緩めて前記調整ボルトを横移動させることによって該調整ボルトを前記上下の水平片から取り外すと共に、前記上下の固定部材を上下のブロックから取り外すことを特徴とするものである。
【００２２】
本発明に係るブロック積重方法の他の態様は、上下のブロック間に周方向に連続して介在された弾性止水材を圧縮状態にして、該上下のブロック間に所要間隙を設けて該上のブロックを該下のブロックに対して高さ調整して該高さ調整された状態を保持させる際に前記第１の態様に係るブロックの高さ調整具を用いるブロック積重方法であって、前記上のブロックを前記下のブロックの前記弾性止水材上に載置して後、前記上下の固定部材が前記上下のブロックに固定された状態で、上側雄ネジ部の上下に所要間隔を置いて前記上下のナット部材が螺合されると共に下側雄ネジ部の上下に所要間隔を置いて前記上下のナット部材が螺合されてなる前記調整ボルトを、該上側雄ネジ部に螺合されている前記上下のナット部材間と、該下側雄ネジ部に螺合されている前記上下のナット部材間に、前記上下の水平片に設けられている上下の切欠部が介在するように、該上下の欠切部に横方向に嵌入させ、前記上側雄ネジ部の上下のナット部材を締め付けて前記上の水平片を挾持状態とする。その後、前記下側雄ネジ部のナット部材を螺合操作することによって、前記上の固定部材を介して前記上のブロックの高さ調整を行うと共に、該高さ調整された状態で前記弾性止水材を、止水を確保できる所要の圧縮状態とし、この状態で、該上下のナット部材を締め付けて前記下の水平片を挾持状態とする。その後、該弾性止水材によって囲まれた充填空間に液状充填材を充填し、該液状充填材が硬化した後に、前記上側雄ネジ部のナット部材と前記下側雄ネジ部のナット部材を緩めて前記調整ボルトを横移動させることによって該調整ボルトを前記上下の水平片から取り外すと共に、前記上下の固定部材を上下のブロックから取り外すことを特徴とするものである。
【００２３】
本発明に係るブロック積重方法のその他の態様は、上下のブロック間に周方向に連続して介在された弾性止水材を圧縮状態にして、該上下のブロック間に所要間隙を設けて該上のブロックを該下のブロックに対して高さ調整して該高さ調整された状態を保持させる際に前記第２の態様に係るブロックの高さ調整具を用いるブロック積重方法であって、前記上のブロックを前記下のブロックの前記弾性止水材上に載置して後、前記上下の固定部材が前記上下のブロックに固定された状態で、上側雄ネジ部の上下に所要間隔を置いて前記上下のナット部材が螺合されると共に下側雄ネジ部に前記ナット部材が螺合されてなる前記調整ボルトを、該上側雄ネジ部に螺合されている前記上下のナット部材間と、該下側雄ネジ部に螺合されている前記ナット部材と前記ボルト頭部との間に、前記上下の水平片に設けられている上下の切欠部が介在するように、該上下の欠切部に横方向に嵌入させ、前記下側雄ネジ部のナット部材を締め付けて該ナット部材と前記ボルト頭部との間で前記下の水平片を挾持状態とする。その後、前記上側雄ネジ部のナット部材を螺合操作することによって、前記上の固定部材を介して前記上のブロックの高さ調整を行うと共に、該高さ調整された状態で前記弾性止水材を、止水を確保できる所要の圧縮状態とし、この状態で、前記上側雄ネジ部の前記上下のナット部材を締め付けて前記上の水平片を挾持状態とする。その後、該弾性止水材によって囲まれた充填空間に液状充填材を充填し、該液状充填材が硬化した後に、前記上側雄ネジ部のナット部材と前記下側雄ネジ部のナット部材を緩めて前記調整ボルトを横移動させることによって該調整ボルトを前記上下の水平片から取り外すと共に、前記上下の固定部材を上下のブロックから取り外すことを特徴とするものである。
【００２４】
本発明に係るブロック積重方法のその他の態様は、上下のブロック間に周方向に連続して介在された弾性止水材を圧縮状態にして、該上下のブロック間に所要間隙を設けて該上のブロックを該下のブロックに対して高さ調整して該高さ調整された状態を保持させる際に前記第３の態様に係るブロックの高さ調整具を用いるブロック積重方法であって、前記上のブロックを前記下のブロックの前記弾性止水材上に載置して後、前記上下の固定部材が前記上下のブロックに固定された状態で、上側雄ネジ部に前記ナット部材が螺合されると共に下側雄ネジ部の上下に所要間隔を置いて前記上下のナット部材が螺合されてなる前記調整ボルトを、該上側雄ネジ部に螺合されている前記ナット部材と前記ボルト頭部との間と、該下側雄ネジ部に螺合されている前記上下のナット部材間に、前記上下の水平片に設けられている上下の切欠部が介在するように、該上下の欠切部に横方向に嵌入させ、前記上側雄ネジ部のナット部材を締め付けて該ナット部材と前記ボルト頭部との間で前記上の水平片を挾持状態とする。その後、前記下側雄ネジ部のナット部材を螺合操作することによって、前記上の固定部材を介して前記上のブロックの高さ調整を行うと共に、該高さ調整された状態で前記弾性止水材を、止水を確保できる所要の圧縮状態とし、この状態で、前記下側雄ネジ部の前記上下のナット部材を締め付けて前記下の水平片を挾持状態とする。その後、該弾性止水材によって囲まれた充填空間に液状充填材を充填し、該液状充填材が硬化した後に、前記下側雄ネジ部のナット部材と前記上側雄ネジ部のナット部材を緩めて前記調整ボルトを横移動させることによって該調整ボルトを前記上下の水平片から取り外すと共に、前記上下の固定部材を上下のブロックから取り外すことを特徴とするものである。
【００２５】
前記各ブロック積重方法において、前記上下のブロックは、エレベーターシャフトを構成するブロックとし、前記上下の固定部材は、該上下のブロックの内面の所要部位に固定されるように構成するのがよい。
【発明の効果】
【００２６】
本発明は以下の如き優れた効果を奏する。
(1) 本発明によるときは、例えばエレベータシャフトを構成するブロック等としての、積重される個々のブロックに製造誤差が生じていて寸法精度が良好でない場合であっても、かかる製造誤差を吸収してブロックを精度よく積重できる。これにより、各ブロックの鉛直度や各ブロックの高さが精度よく設定されたエレベータシャフト等の各種のブロック積重構造物を構築できることになる。加えて、このように製造誤差を吸収できることから、寸法精度が高い反面、生産性が非常に悪く又製造コストの上昇を招く等の問題のあったマッチキャストの製造方法によって製造されたブロックを用いることなく、一般のブロックを用いてブロック積重施工を行い得ることとなり、高い施工経済性を達成できる。
然も本発明においては、上側雄ネジ部と下側雄ネジ部にナット部材が螺合されてなる調整ボルトを、上下の固定部材に対して着脱容易に構成しているため、上下の固定部材を上下のブロックに固定して上下の水平片を突出状態にしさえすれば、螺合されているナット部材が障害となることなく、該調整ボルトを、欠切部が設けられた前記上下の水平片に容易に取り付けることができる。これにより、上のブロックの高さ調整を能率的に行うことができる。又、高さ調整具を取り外す際は、螺合されているナット部材を適宜緩めるだけで、該ナット部材が障害となることなく調整ボルトを上下の水平片から容易に取り外すことができる。そして、該上下の固定部材は調整ボルトと独立しているため、これが障害となることなく、該上下の固定部材を、安全且つ容易に取り付け取り外しできる。もしも、欠切部に代えて挿通孔を採用した場合は、調整ボルトの着脱作業に困難が伴うこととなる。
このように本発明によるときは、上のブロックの高さ調整を精度よく然も能率的に行うことができると共に、高さ調整後における高さ調整具のブロックからの取り外しも容易であるため、該取り外した高さ調整具を別の施工現場で再利用できる利点もある。
【００２７】
(2) 又本発明に係るブロック積重方法によるときは、弾性止水材を介在させて上のブロックを下のブロック上に設置するため、ライナープレートを用いてブロックの高さ調整を行う従来の高さ調整手段とは異なり、ブロックの高さを微調整することが可能である。加えて、積重されたライナープレートがグラウト等の充填材の充填を不均一化する恐れもないことから、充填空間に均一に充填された液状充填材の硬化よって、強度的に安定したブロック積重構造物を構築できることになる。
【００２８】
(3) 前記上下の固定部材の何れか一方にガイド片が設けられている場合は、該ガイド片のガイド作用によって、上のブロックを設置する際に、下のブロックに対する上のブロックの横方向での位置決めを容易に行うことができる。
【００２９】
(4) 上下の水平片に規制係合部を設ける場合は、ナット部材が該規制係合部と当接状態に係合することにより調整ボルトが欠切部の開放端に向けて移動するのを阻止できるため、ブロックの高さ調整状態をより安全に保持させることができる。
【００３０】
(5) 本発明を、エレベータシャフトを構成するブロックの積重施工に応用する場合において、前記上下の固定部材を上下のブロックの内面に固定するときは、ブロックを積重することよって形成されるブロックの内部空間で足場を設置できる。従って、足場の組み立て作業を簡易化し得ると共に、ブロックの高さ調整作業等を行うに際して作業者の移動距離を少なくでき施工能率の向上を期し得る。又、ブロックの内部空間で足場を設置することから、ブロックを取り囲むように足場を設ける場合とは異なり、全ての高さ調整具の装着状態を目視で確認することが容易であって、確実且つ安全な施工が可能となる。又、このように、前記上下の固定部材を上下のブロックの内面に固定するときは、上のブロック又は下のブロックにガイド片を設けた場合は、ブロックを吊り下ろす際にブロックの内面側の縁部が該ガイド片に擦られて損傷されることがあっても、上下の固定部材を上下のブロックの外面に固定する場合とは異なり、ガイド片によってブロックの外面側が損傷されることはないため、該ガイド片がエレベータシャフトの外観を損なう恐れがない。
【実施例１】
【００３１】
図１〜３は、本発明に係るブロックの高さ調整具（以下高さ調整具という）１を、プレキャストコンクリート製のブロックＢを順次積重して構築されるエレベータシャフトに応用した場合を示すものである。
【００３２】
図４〜６は、該エレベータシャフト２の全体構成を示すもので、例えば地上５階建ての既存の集合住宅に増設されるものである。より詳しくは、平面視で正方形筒状を呈する上端開放の基礎部６上に、前記ブロックＢの複数個が、上下のブロックＢａ，Ｂｂ間にグラウト充填層７（図８）を介在させて積重されると共に、最上段のブロックＢ上に屋根ブロック９が設置され、この状態で、前記基礎部６と前記ブロックＢの複数個と、前記屋根ブロック９の全体が、上下方向に延長する緊締材（本実施例においては、図７に示すように、カップラ１０で相互が連結されたＰＣ鋼棒１１）１２を用いて緊結一体化されることによってエレベータシャフト２が構築されている。該エレベータシャフト２の内部には、内周面１３（図４）が上下方向で面一状態の昇降路１５が形成されており、該上下方向の昇降路１５内で、図示しないエレベータかごが昇降可能である。本実施例においては図４〜５に示すように、エレベータかごの乗降口に連なるエレベータ出入口１６が、１階部１７と、２階と３階の間の踊り場１９と、３階と４階の間の踊り場２０と、４階と５階の間の踊り場２１に連なるように４箇所設けられている。
【００３３】
前記基礎部６は、図４、図６、図８に示すように、前記昇降路１５の下端部分を構成する凹部２２を有し、該凹部２２の深さは９００ｍｍ程度に設定されている。そして該基礎部６には、前記エレベータ出入口１６側を除くコ字状の上端面２３（図６）のコーナ部２５，２５，２５，２５にＰＣ鋼棒が突設されると共に、隣り合うコーナ部間に所要本数（例えば３本乃至４本）のＰＣ鋼棒１１が突設されており、該ＰＣ鋼棒１１の上端部分２６が前記上端面２３から若干突出している。該突出した上端部分２６には、長ナットとしてのカップラ１０（図８）を介して別のＰＣ鋼棒１１が、上方に突出するように連結される。本実施例においては、合計１４本のＰＣ鋼棒１１を用いている。コーナ部２５（図６）に配置されるＰＣ鋼棒１１としては例えば３２ｍｍのものを用い、中間に配置されるＰＣ鋼棒１１としては例えば１７ｍｍのものを用いる。
【００３４】
エレベータシャフト２を構築する前記ブロックＢは、本実施例においては、第１のブロック１Ｂと第２のブロック２Ｂと第３のブロック３Ｂと第４のブロック４Ｂと第５のブロック５Ｂと第６のブロック６Ｂの６種類からなる。
【００３５】
該第１のブロック１Ｂは図６〜９に示すように、前記基礎部６の上端面２３に載設される平面視で略コ字状の正方形の筒状を呈する。より具体的には、図６に示すように、左右の側壁部２７，２７の後端２９，２９相互が後壁部３０で連結され、前記エレベータ出入口１６を構成するために前面部が開放部３１とされ、上下高さは比較的大きく設定され、鉛直方向の連通孔３２が設けられている。又、該第１のブロック１Ｂの前記左右の側壁部２７，２７と前記後壁部３０には、前記基礎部６の上端面２３で突出されているＰＣ鋼棒１１の配置に合わせて、ＰＣ鋼棒１１の挿通孔３３（図８）が上下方向に貫通状態に設けられている。該挿通孔３３の下端部分は、前記カップラ１０を収容し得るように稍拡大した拡大孔部３５（図８）とされている。該第１のブロック１Ｂの主要部の寸法を例示すれば、前記連通孔３２の一辺長は１７２０ｍｍ程度に、左右の側壁部２７，２７と後壁部３０の肉厚は１５０ｍｍ程度に、ブロック高さは、前記エレベータ出入口１６の高さを考慮して２３５０ｍｍ程度に設定されている。又、前記挿通孔３３の径は、該ＰＣ鋼棒１１の挿通を容易とするために該ＰＣ鋼棒の直径よりも若干大きく形成されている。
【００３６】
又前記第２のブロック２Ｂは、該第１のブロック１Ｂ上に載設されるものであり、図６〜７、図９に示すように、前記第１のブロック１Ｂに設けられている連通孔３２と連通し得る連通孔３２が鉛直方向に設けられた、平面視で正方形の筒状に形成されている。そして、前記第１のブロック１Ｂに設けられた各挿通孔３３と位置合わせして、ＰＣ鋼棒１１の挿通孔３３が、周壁部３６に上下方向に貫通状態に設けられている。該第２のブロック２Ｂの主要部の寸法を例示すれば、該連通孔３２の一辺長は前記第１のブロック１Ｂにおけると同様に設定されると共に、その上下高さは小さく、例えば３２０ｍｍ程度に設定されている。
【００３７】
又、前記第３のブロック３Ｂは、前記第２のブロック２Ｂ上に載設されるものであり、図６〜７、図１０〜１１に示すように、該第２のブロック２Ｂに設けられている連通孔３２と連通し得る連通孔３２が鉛直方向に設けられた平面視で正方形の筒状に形成されている。そして、前記第１のブロック１Ｂに設けられた各挿通孔３３と位置合わせして、ＰＣ鋼棒１１の挿通孔３３が、周壁部３７に上下方向に貫通状態に設けられている。該挿通孔３３の下端部分は、前記と同様のカップラ１０を収容し得るように稍拡大した拡大孔部３５とされている。該第２のブロック２Ｂの主要部の寸法を例示すれば、該連通孔３２の一辺長は前記第１のブロック１Ｂにおけると同様に設定されると共に、その上下高さは比較的小さく、例えば１７６０ｍｍ程度に設定されている。
【００３８】
又前記第４のブロック４Ｂは、図６〜７、図１２に示すように、前記第３のブロック３Ｂに設けられている連通孔３２と連通し得る連通孔３２が鉛直方向に設けられた平面視で正方形の筒状に形成されてなる、上下高さの小さい角筒部３９に、前記集合住宅５の前記踊り場の床部４０に接続される連絡通路部４１が突設されている。そして該角筒部３９の周壁部４２には、前記第１のブロック１Ｂに設けられている挿通孔３３と連通し得る挿通孔３３が上下方向に貫通状態に設けられている。該第４のブロック４Ｂの主要部の寸法を例示すれば、該連通孔３２の一辺長は前記第１のブロック１Ｂにおけると同様に設定されると共に、その上下高さは、例えば３２０ｍｍ程度に設定されている。又、該連絡通路部４１の突出長さは１８００ｍｍ程度に設定されている。
【００３９】
又前記第５のブロック５Ｂは、図６〜７に示す構成を有しており、ブロック高さが前記第１のブロック１Ｂの高さよりも若干小さく２２８０ｍｍ程度に設定されている他は、該第１のブロック１Ｂにおけると同様に構成されており、同一構成部分には該第１のブロック１Ｂにおけると同一の符号が付されている。
【００４０】
又前記第６のブロック６Ｂは、図４〜７に示すように、前記昇降路１５の上端部分を形成するものであり、ブロック高さが８２０ｍｍと小さく設定されると共に、挿通孔３３が前記拡大孔部３５を有さないことの他は、前記第３のブロック３Ｂにおけると同様に構成されている。
【００４１】
又前記屋根ブロック９は、図４〜７、図１３に示すように、前記昇降路１５の上端４３を塞ぐ閉蓋部４４に庇部４５を突設してなる、コ字状の周壁部４６を除いた部分が窪んだ構成を有している。そして、該周壁部４６に、前記第１のブロック１Ｂに設けられている挿通孔３３と連通し得る挿通孔３３が上下方向に貫通状態に設けられると共に、該挿通孔３３の上端部分は、前記緊締材１２の上端を止着する止着具４７を収容するために稍拡大した拡大孔部４９とされている。
【００４２】
前記エレベータシャフト３は、かかる構成を有する基礎部６と第１〜６のブロック１Ｂ，２Ｂ，３Ｂ，４Ｂ，５Ｂ，６Ｂと屋根ブロック９とを用いて前記のように構築されるのであるが、その構造をより具体的に説明すれば図４〜５、図７に示すように、先ず、前記基礎部６上に前記第１のブロック１Ｂ（１段目のブロックＢ１）が、前記開放部３１が１階のエレベータ出入口１６を形成するように載置されると共に、その上に前記第２のブロック２Ｂ（２段目のブロックＢ２）が載置され、更にその上に前記第３のブロック３Ｂ（３段目のブロックＢ３）が載置されている。又、該第３のブロック３Ｂ上に前記第４のブロック４Ｂ（４段目のブロックＢ４）が、その連絡通路部４１を前記２階と３階の間の踊り場１９に連なるように載置されると共に、その上に前記第５のブロック５Ｂ（５段目のブロックＢ５）が、その開放部３１が２階と３階の間のエレベータ出入口１６を形成するように載置されている。又、該第５のブロック５Ｂ上に前記第４のブロック４Ｂ（６段目のブロックＢ６）が、その連絡通路部４１を前記３階と４階の間の踊り場２０に連なるように載置されると共に、その上に前記第５のブロック５Ｂ（７段目のブロックＢ７）が、その開放部３１が３階と４階の間のエレベータ出入口１６を形成するように載置されている。又、該第５のブロック５Ｂ上に前記第４のブロック４Ｂ（８段目のブロックＢ８）が、その連絡通路部４１を前記４階と５階の間の踊り場２１に連なるように載置されると共に、その上に前記第５のブロック５Ｂ（９段目のブロックＢ９）が、その開放部３１が４階と５階の間のエレベータ出入口１６を形成するように載置されている。又、該第５のブロック５Ｂ上に前記第６のブロック６Ｂ（１０段目のブロックＢ１０）が載置され、これにより、鉛直方向に連続し且つ内周面１３が上下方向で面一状態の前記昇降路１５が形成されている。そして、該昇降路１５の上端４３を塞ぐように前記屋根ブロック９が載置される。
【００４３】
このようにして、前記基礎部６上に順次ブロックＢが積重されるのであるが、上下のブロックＢａ，Ｂｂ相互間には、載置されるブロックの製造上の寸法誤差を考慮して、積重されるブロックの鉛直度とその設置高さを調整する目的で前記グラウト充填層７（例えば図１１）が設けられている。又、前記ＰＣ鋼棒１１は、図７に示すように、前記２段目のブロックＢ２の上端面５１と、前記４段目のブロックＢ４の上端面５２と、前記６段目のブロックＢ６の上端面５３と、前記８段目のブロックＢ８の上端面５５で若干突出し、図７、図１１に示すように、該突出した上端部分５６に、カップラ１０を介して別のＰＣ鋼棒１１が連結されており、該カップラ１０が、前記３段目のブロックＢ３の前記挿通孔３３の拡大孔部３５と、前記５段目のブロックＢ５の前記挿通孔３３の拡大孔部３５と、前記７段目のブロックＢ７の前記挿通孔３３の拡大孔部３５と、前記９段目のブロックＢ９の前記挿通孔３３の拡大孔部３５内に納められている。このようにカップラ１０を介して連結されたＰＣ鋼棒１１は、前記緊締材１２を構成している。
【００４４】
そして図１３に示すように、該緊締材１２の上端部５７が前記屋根ブロック９の前記挿通孔３３に挿通されると共に、該緊締材１２が上方に引っ張られて緊張され、且つ該緊張状態が前記止着具４７で止着されている。該止着具４７は、前記屋根ブロック９の挿通孔３３の拡大孔部３５に収容されている。緊締材１２のかかる緊張によって該屋根ブロック９が下方に押圧され、積重されたブロック同士が締め付け一体化され、前記エレベータシャフト２が構築されている。
【００４５】
前記高さ調整具１は、例えば前記のように積重される上下のブロックＢａ，Ｂｂ間に前記グラウト充填層７（図１１）を設けるために用いられるものである。より具体的には、図２に示すように、グラウト充填用の充填空間５９を形成するために、該上のブロックＢａを該下のブロックＢｂに対して所要に高さ調整し、該高さ調整された状態を保持させる。
【００４６】
該高さ調整具１は、本実施例においては図１〜３、図１４〜１５に示すように、各ブロックＢの内面６０に着脱可能に固定されるものであり、下のブロックＢｂに着脱可能に固定される下の固定部材６１と、前記上のブロックＢａに着脱可能に固定される上の固定部材６２と、該上下の固定部材６２，６１に対して着脱可能の調整ボルト６３と、該調整ボルト６３の上側雄ネジ部６５の上下に螺合される上下のナット部材６６，６７と、該調整ボルト６３の下側雄ネジ部６９の上下に螺合される上下のナット部材７０，７１とを具えている。
【００４７】
前記下の固定部材６１は、図１〜３、図１４〜１５に示すように、前記下のブロックＢｂの内面６０の上端側の部分６０ａに当接状態に固定される横長矩形板状の下の垂直固定片７２の上端に、ブロック内方に向けて水平状態に突出する下の水平片７３が屈曲形成されてなるアングル状部７５の、該下の垂直固定片７２の上端で、ガイド片７６が上方に突設されている。
【００４８】
前記下の垂直固定片７２の左右両側には、図１４〜１５に示すように、前記下のブロックＢｂの内面６０に設けられたインサート７７，７７に螺合せしめられる固定ボルト（直径は例えば１６ｍｍ）７９，７９を挿通させるためのボルト挿通孔８０，８０が設けられている。又、前記下の水平片７３の左右方向の中央部分には、前記調整ボルト６３の下側部分を横方向に着脱可能に嵌入させるための欠切部８１が、該下の水平片７３の先端８２で開放して基端側に延びるように設けられており、該欠切部８１の奥端は、前記調整ボルト６３の外周面形状に沿う円弧状縁８３として形成されている。又、前記下の水平片７３の上面７４の、前記欠切部８１の両側で且つ該下の水平片７３の先端８２寄り部位に位置させて、前記上のナット部材７０の先端部分８４と図３に示すように当接状態に係合し得る規制係合部８６，８６が、突片８７，８７を溶接して形成されている。
【００４９】
又前記ガイド片７６は、図１〜２、図１４に示すように、上方に突出する垂直ガイド片部８９の上端に、外方（本実施例においてはブロック内方）に向けて上方に傾斜する傾斜ガイド片部９０を連設してなり、該垂直ガイド片部８９の内面が垂直ガイド面９１とされると共に、該傾斜ガイド片部９０の内面が傾斜ガイド面９２とされている。該傾斜ガイド面９２及び該垂直ガイド面９１は、後述するように、上のブロックＢａの内側の縁部９３をガイドするものであり、該垂直ガイド面９１と前記下の垂直固定片７２の内面９５は面一状態を呈している。
【００５０】
そして本実施例においては、図１４〜１５に示すように、前記下の水平片７３の下面９６の両側に、該下面９６と前記下の垂直固定片７２の外面９７側とを連結するように三角形板状の補強片９９，９９が設けられると共に、前記欠切部８１の両側で、前記下の水平片７３の下面９６と前記下の垂直固定片７２の外面９７とを連結するように矩形板状の補強片１００，１００が設けられている。又、前記ガイド片７６の外面１０１と前記下の水平片７３の上面７４とがなす入隅部分において、該外面１０１と該上面７４とを連結するように三角形板状の補強片１０３，１０３が設けられている。
【００５１】
かかる構成を有する下の固定部材６１の主要部の寸法を例示すれば、前記アングル状部７５の肉厚は１０ｍｍ程度に設定されると共にその左右幅は１２０ｍｍ程度に設定され、前記ガイド片７６の肉厚は９ｍｍ程度に設定され、又、前記欠切部８１の溝幅は２３ｍｍ程度に設定されている。
【００５２】
又前記上の固定部材６２は、図１〜２、１４に示すように、前記上のブロックＢａの内面６０の下端側の部分６０ｂに当接状態に固定される横長矩形板状の上の垂直固定片１０５の下端に、ブロック内方に向けて水平状態に突出する上の水平片１０６が屈曲形成されてなるアングル状部１０４を有し、前記上の垂直固定片１０５の左右両側には、図１４に示すように、前記上のブロックＢａの内面６０に設けられたインサート７７，７７に螺合せしめられる固定ボルト７９，７９（直径は例えば１６ｍｍ）を挿通せるためのボルト挿通孔８０，８０が設けられている。又、前記上の水平片１０６の左右方向の中央部分には、前記調整ボルト６３の上側部分を横方向に着脱可能に嵌入させるための欠切部１０９が、該上の水平片１０６の先端１０７で開放して基端側に延びるように設けられており、該欠切部１０９の奥端は、前記調整ボルト６３の外周面形状に沿うように円弧状縁１０８として形成されている。又、前記上の水平片１０６の上面１１０の、前記欠切部１０９の両側で且つ該上の水平片１０６の先端寄り部位に位置させて、前記上のナット部材６６の先端部分１１１と図３に示すように当接状態に係合し得る規制係合部１１２，１１２が、突片１１３，１１３を溶接して形成されている。
【００５３】
そして本実施例においては、前記上の水平片１０６の上面１１０の両側に、該上面１１０と前記上の垂直固定片１０５の外面１１６とを連結するように三角形板状の補強片１１７，１１７が設けられると共に、前記欠切部１０９の両側で、前記上の水平片１０６の上面１１０と前記上の垂直固定片１０５の外面１１６とを連結するように矩形板状の補強片１１９，１１９が設けられている。
【００５４】
かかる構成を有する上の固定部材６２の主要部の寸法を例示すれば、前記アングル状部１０４の肉厚は１０ｍｍ程度に設定されると共にその左右幅は１２０ｍｍ程度に設定され、又、前記欠切部１０９の溝幅は２３ｍｍ程度に設定されている。
【００５５】
前記調整ボルト６３は、図１〜３、図１４に示すように、前記上側雄ネジ部６５と前記下側雄ネジ部６９を上下に有する両切りボルトとして構成されており、例えば外径が２０ｍｍであって、前記上下の切欠部１０９，８１の溝幅よりも若干小さい。かかる構成を有する調整ボルト６３の前記上側雄ネジ部６５には、前記上の水平片１０６の前記欠切部１０９の縁部分１２０（図３）を上下から締め付け状態で挾持する上下のナット部材６６，６７が螺合される一方、該調整ボルト６３の前記下側雄ネジ部６９には、前記下の水平片７３の前記欠切部８１の縁部分１２１（図３）を上下から締め付け状態で挾持する前記上下のナット部材７０，７１が螺合されている。調整ボルト６３として両切りボルトを用いる本実施例においては、その上側雄ネジ部６５及び下側雄ネジ部６９に対する上下のナット部材６６，６７、７０，７１の螺合が、後述のボルト頭部１７１を具える調整ボルト６３を用いる場合に比して容易である。
【００５６】
前記上下のナット部材６６，６７、７０，７１は同様の構成を有しており、図１〜３、図１４に示すように、前記調整ボルト６３に螺合されるナット本体１１４と、円環状を呈して比較的薄肉に形成された既製品の第１の座金１２３と、６ｍｍ程度の比較的厚肉に形成された例えば正方形板状を呈する第２の座金１２５とから構成されている。該第１の座金１２３は前記ナット本体１１４を締め付ける際の滑りを良好にするためのものであり、又前記第２の座金１２５は、前記欠切部１０９，８１の縁部分１２０，１２１を覆うように配置されて、ナット本体１１４による締め付け荷重を前記上下の水平片１０６，７３に分散状態に伝達させるためのものである。
【００５７】
そして、図３に示すように、前記上側雄ネジ部６５に螺合する上のナット部材６６を構成する第２の座金１２５の先端部分１１１が、前記上の水平片１０６の上面１１０に突設された規制係合部１１２，１１２と当接状態に係合することによって、前記上側雄ネジ部６５が前記欠切部１０９の開放端１２２側に向けて移動するのが確実に阻止される。又、前記下側雄ネジ部６９に螺合する上のナット部材７０を構成する第２の座金１２５の先端部分８４が、前記下の水平片７３の上面７４に突設された規制係合部８６，８６と当接状態に係合することによって、前記下側雄ネジ部６９が前記欠切部８１の開放端１１８側に向けて移動するのが確実に阻止される。
【００５８】
かかる構成の高さ調整具１を用いて、上下のブロックＢａ，Ｂｂ間に所要間隙Ｇを設けて該上のブロックＢａを該下のブロックＢｂに対して高さ調整し、該高さ調整された状態を保持させる作業工程を、前記エレベータシャフト３の最下端に位置する前記第１のブロック１Ｂ上に前記第２のブロック２Ｂを積重する場合を例にとって説明する。
【００５９】
そのために、先ず図１６〜１７に示すように、前記基礎部６上に所要に設置された前記第１のブロック１Ｂ（１段目のブロックＢ１）の内面６０の上端側の部分６０ａに前記下の固定部材６１が固定された状態とする。又、前記第１のブロック１Ｂの、平面視でコ字形を呈する上端面１２８の縁部に沿って環状に、弾性止水材１２４の下面１２６を貼着状態としておく。
【００６０】
該弾性止水材１２４としては例えば図１７に示すような、一辺長が２０ｍｍの正方形断面を呈するスポンジ状の弾性止水材（例えばＥＰＤＭ）を用いることができ、該弾性止水材１２４が５〜１３ｍｍの範囲で圧縮状態とされることにより、後述の如く形成された充填空間５９（図２）にグラウトが注入された際に加わる注入圧力でグラウトが漏れることのない止水性を発揮するものである。
【００６１】
前記下の固定部材６１は、本実施例においては図１８に示すように、前記左右の側壁部２７，２７の内面６０の上端側の部分６０ａの、前記開放部３１寄り部位と、前記後壁部３０の内面６０の両端側に位置させて、何れもハンチ１２９，１２９，１２９，１２９の縁部１３０から稍退いた部位で固定される。その固定のために、前記内面６０に、図１４に示す如く、前記下の垂直固定片７２の両側に設けられているボルト挿通孔８０，８０を挿通する固定ボルト７９，７９を螺合させるためのインサート７７，７７が埋設されている。然して、該両ボルト挿通孔８０，８０に固定ボルト７９，７９を挿通しこれを該インサート７７，７７に螺合し締め付けることにより、図２に示すように、前記下の水平片７３が前記内面６０から水平状態に突出し、且つ、前記ガイド片７６が、図１７に示すように、前記第１のブロック１Ｂの上端面１２８から上方に突出状態となる。
【００６２】
前記弾性止水材１２４は、前記第１のブロック１Ｂを前記基礎部６に据え付けるに先立って上端面１２８に貼着しておいてもよく、該第１のブロック１Ｂを据え付けた後に該上端面１２８に貼着してもよい。又、前記下の固定部材６１は、第１のブロック１Ｂを据え付けるに先立って該第１のブロックの内面６０に固定しておいてもよく、或いは該第１のブロック１Ｂを据え付けた後に該内面６０に固定してもよい。要するに、第２のブロック２Ｂを設置するに先立って、弾性止水材１２４や下の固定部材６１の、前記第１のブロック１Ｂに対する固定が完了しておればよい。
【００６３】
なお前記第１のブロック１Ｂは、図８〜９に示すように、前記基礎部６の上端面２３で突出状態とされたＰＣ鋼棒１１の１４本を対応の挿通孔３３に挿通させた状態で吊り下ろされ、鉛直度が確保され且つ高さが調整された状態で該基礎部６に固定されており、図１６〜１７に示すように、前記ＰＣ鋼棒１１の夫々の上端側が前記第１のブロック１Ｂの上端面１２８で上方に突出状態とされる。これにより、環状の弾性止水材１２４が形成する空間部１０８でＰＣ鋼棒１１が介在した状態となる。このように第１のブロック１Ｂを据え付けた後、その内部空間１３１で足場を組み立てる。
【００６４】
その後、図１９〜２０に示すように、前記第２のブロック２Ｂを、ＰＣ鋼棒１１の前記突出部分１３２が対応の挿通孔３３に挿通するように位置合わせして吊り下ろし、図２１に示すように、前記弾性止水材１２４上に載置する。
【００６５】
然る後、前記上の固定部材６２の前記上の垂直固定片１０５を、そのボルト挿通孔８０，８０に固定ボルト７９，７９を挿通し、これを該第２のブロック２Ｂの内面６０の下端側の部分６０ｂに埋設されているインサート７７，７７に螺合し締め付ける。なお該第２のブロック２Ｂに埋設されたインサート７７，７７は、図１４に示すと同様に、前記第１のブロック１Ｂに埋設されたインサート７７，７７の配置に合わせて該インサート７７，７７の直上で前記内面６０に埋設されている。これにより、前記上の水平片１０６が前記第２のブロック２Ｂの内面６０から水平に突出した状態となる。そして該上下の水平片１０６，７３は、図１に示すと同様に、第２のブロック２Ｂ（上のブロックＢａ）を前記弾性止水材１２４を介して第１のブロック１Ｂ（下のブロックＢｂ）上に据え付けた状態で上下対向状態となり、前記上下の欠切部１０９，８１が上下対向状態となる。
【００６６】
第２のブロック２Ｂに対する前記上の固定部材６２の固定は、前記第２のブロック２Ｂを前記弾性止水材１２４上に載置するに先立って上の垂直固定片１０５を第２のブロック２Ｂの内面６０に固定して行ってもよく、或いは、該第２のブロック２Ｂを弾性止水材１２４上に載置した後に前記上の垂直固定片１０５を前記内面６０に固定して行ってもよい。本実施例においては、第２のブロック２Ｂを前記弾性止水材１２４上に載置した後に、前記上の固定部材６２を該第２のブロック２Ｂの内面６０に固定することとしている。
【００６７】
図１９〜２０は、第２のブロック２Ｂを、据え付けられた前記第１のブロック１Ｂの上側で吊り下ろす際におけるガイド片７６のガイド作用を説明するものであり、第１のブロック１Ｂの上端の四隅で上方に突出状態にある前記ガイド片７６，７６，７６，７６の外側で形成された空間（図１６、図１８〜２０）にブロック下端部分１３５が納まるように前記第２のブロック２Ｂを吊り下ろす。この吊り下ろしの際、図１９〜２０に示すように、前記左右の側壁部２７，２７に設けられているガイド片７６ａ，７６ａの前記傾斜ガイド面９２，９２に第２のブロック２Ｂの対向側壁部１３６，１３６の内側の縁部９３，９３が適宜ガイドされ、且つ前記垂直ガイド面９１，９１にガイドされて、第２のブロック２Ｂが下降する。これにより、該第２のブロック２Ｂの水平面内における位置が所要に設定されることになる。
【００６８】
なお、前記後壁部３０の上端で突出しているガイド片７６ｂ，７６ｂによって上のブロック２Ｂの内側の縁部９３をガイドさせるためには、図１９に矢印で示すように、前記第２のブロック２Ｂの前の側壁部９４を、その内側から前方に向けて押圧しながら、後の側壁部３０の内側の縁部９３を前記左右のガイド片７６，７６の前記垂直ガイド面９１，９１に当接させつつ第２のブロック２Ｂを吊り下ろす。
【００６９】
このような作業工程を経ることによって、第２のブロック２Ｂの鉛直度と、該第２のブロック２Ｂの前記第１のブロック１Ｂに対する高さが、概略設定されることになる。そしてこの状態で、上下の水平片１０６，７３が対向し、上下の欠切部１０９，８１が対向状態となる。
【００７０】
この状態で図１、図２１に示すように、上側雄ネジ部６５の上下に所要間隔を置いて上下のナット部材６６，６７が螺合されると共に前記下側雄ネジ部６９の上下に所要間隔を置いて上下のナット部材７０，７１が螺合されてなる前記調整ボルト６３を、該上下の欠切部１０９，８１に横方向に嵌入させる。この嵌入工程を具体的に説明すれば、該上側雄ネジ部６５に螺合されている該上下のナット部材６６，６７間（本実施例においては、前記上下の第２の座金１２５，１２５間）６５ａと、前記下側雄ネジ部６９に螺合されている前記上下のナット部材７０，７１間（本実施例においては前記上下の第２の座金１２５，１２５間）６９ａに、前記上下の欠切部１０９，８１が介在し得るように、該上下の第２の座金１２５，１２５間に存する上側雄ネジ部６５ａを前記上の欠切部１０９の開放端１２２（図１）に位置合わせすると共に、前記上下の第２の座金１２５，１２５間に存する前記下側雄ネジ部６９ａを前記下の欠切部８１の開放端１１８（図１）に位置合わせする。この状態で、図２１に示すように、該調整ボルト６３を上下の欠切部１０９，８１に横方向に嵌入させる。この際、図３に示すように、前記第２の座金１２５の外端部分１１１，８４が前記両側の規制係合部１１２，８６に当接した状態とする。
【００７１】
その後、図２２に示すように、前記下側雄ネジ部６９に螺合されている上下のナット部材７０，７１を締め付けて前記下の水平片７３を挾持状態とする。これにより前記調整ボルト６３は、ボルト下端部分１３９が前記下の水平片７３に固定されて垂直立設状態となる。
【００７２】
然る後、前記上側雄ネジ部６５に螺合されている上下のナット部材６６，６７を螺合操作することにより、前記上の固定部材６２を介し、上下のブロックＢａ，Ｂｂ間に所要間隙Ｇ（図２）を設けて、前記上のブロックＢａの高さ調整を行うことができる。本実施例においては、ブロックの四隅において高さ調整具１，１，１，１が配設されているため、夫々の高さ調整具１の前記上側雄ネジ部６５の上下のナット部材６６，６７を、上のナット部材６６を下方に向けて螺合操作することによって、或いは、下のナット部材６７を上方に向けて螺合操作することによって、前記２段目のブロックＢ２の鉛直度を確保できると共に、該２段目のブロックＢ２を１段目のブロックＢ１に対して所要に高さ調整できる。
【００７３】
この高さ調整についてより詳しく説明すれば、図２３−１に示すように、前記下のナット部材６７を緩めた状態で前記上のナット部材６６を下方向に螺合することにより、該２段目のブロックＢ２が載置されて弾性圧縮状態にある前記弾性止水材１２４を更に弾性圧縮させることができる。逆に、図２３−２に示すように、前記上のナット部材６６を緩めた状態で前記下のナット部材６７を上方向に螺合することにより、前記２段目のブロックＢ２を持ち上げることができ、前記弾性止水材１２４は、それに応じた分だけ弾性復元し得る。上下のナット部材６６，６７のかかる螺合操作によって、２段目のブロックＢ２の鉛直度と高さを微調整できるのである。
【００７４】
ブロックの４箇所における高さ調整は、ブロックの製造誤差や重量の偏り等によって、各部が同じように行われるとは限らず、一部又は全ての高さ調整具において所要の高さ調整を行い、全体として、載置した２段目のブロックＢ２の鉛直度と高さを微調整する。例えば、２０ｍｍの弾性止水材１２４が、２段目のブロックＢ２の設置によって１５ｍｍに圧縮された場合、これを更に３ｍｍ圧縮させる場合とか、該弾性止水材１２４が部分的に８ｍｍに圧縮されたとき、これを２ｍｍ持ち上げる場合がある。
【００７５】
そして、自由状態にあった弾性止水材１２４の上下の肉厚２０ｍｍが、５〜１３ｍｍの範囲で圧縮状態とされることにより所要の止水効果（グラウト漏れを防止できる止水効果）が得られる。このように高さ調整された状態で、１段目のブロックＢ１と２段目のブロックＢ２の接合部分１４０（図２）に、弾性止水材１２４によって囲まれた、液状充填材の前記充填空間５９が形成されることになる。
【００７６】
このように調整した状態で、図２に示すように、前記上側雄ネジ部６５の上下のナット部材６６，６７を締め付けて前記上の水平片１０６を挾持状態とする。この状態で、図３に示すように、上下の第２の座金１２５，１２５の先端部分１１１，８４が、上下の水平片１０６，７３の上面１１０，７４に突設されている前記両側の規制係合部１１２，１１２、８６，８６に当接状態に係合しているため、前記上下のナット部材６６，６７を締め付けた高さ調整状態で、前記調整ボルト６３が前記上下の欠切部１０９，８１の開放端１２２，１１８に向けて移動するのが阻止され、従って、前記高さ調整状態が確実に保持されることになる。
【００７７】
このようにして２段目のブロックＢ２を設置して後、該２段目のブロックＢ２の上端高さに合わせて前記足場を上方向に延長する。
【００７８】
その後、図１０に示すように、前記２段目のブロックＢ２上に前記第３のブロック３Ｂからなる３段目のブロックＢ３を据え付けるのであるが、その据え付け要領は前記と同様である。より具体的に説明すれば、図１１に示すと同様に、該２段目のブロックＢ２の上端面５１から突出したＰＣ鋼棒の夫々の上端部分５６に、前記カップラ１０を介して別のＰＣ鋼棒１１を、上方に突出するように連結する。併せて、前記上端面５１の内外の縁部分で周方向に、前記と同様構成の弾性止水材１２４，１２４をその下面１２６で貼着する。これにより、図２５（Ａ）に示すように、前記ＰＣ鋼棒１１を間に介在させた空間部１０８が該内外の弾性止水材１２４，１２４によって形成される。
【００７９】
そして、前記下の固定部材６１を、図１０、図２４に示すように、前記２段目のブロックＢ２の内面６０の上端側の部分６０ａの、左右の側壁部１４２，１４２の内面６０の前端寄りと、後の壁部１４３の内面６０の両端側において、何れもハンチ１２９，１２９，１２９，１２９の縁部１３０から稍退いた部位でボルト固定する。このボルト固定は、図２５（Ａ）に示すように、前記下の垂直固定片７２を固定ボルト７９，７９で固定して行う。これにより、図２５（Ａ）に示すように、前記下の水平片７３が前記内面６０から水平状態に突出し、前記ガイド片７６が、前記２段目のブロックＢ２の上端面５１から上方に突出状態となる。
【００８０】
その後、前記第３のブロック３Ｂ（３段目のブロックＢ３）を、前記ＰＣ鋼棒１１の夫々を対応の挿通孔３３に挿通させた状態で、前記弾性止水材１２４上に吊り下ろす。この吊り下ろしの際、前記下の固定部材６１が有する前記ガイド片７６，７６，７６，７６が、３段目のブロックＢ３の内側の縁部９３をガイドする。この吊り下ろしの際、後の側壁部１４３に突設されているガイド片７６，７６の垂直ガイド面９１，９１に３段目のブロックＢ３の内側の縁部９３が当接するように、該第３のブロック３Ｂの前の側壁部１４９（図６、図２５（Ｂ））を、図２５（Ｂ）に矢印で示すように、内側から外方に向けて押圧する。これによって、該３段目のブロックＢ３の水平面内における位置が所要に設定されることになる。
【００８１】
このようにして第３のブロック３Ｂ（３段目のブロックＢ３）を前記弾性止水材１２４上に載置した後、図２５（Ｂ）に示すように、前記と同様の要領で、前記上の固定部材６２を該３段目のブロックＢ３の内面６０にボルト固定する。その後、図２１に示すと同様にして、前記調整ボルト６３の上側雄ネジ部６５と下側雄ネジ部６９を前記上下の欠切部１０９，８１に横方向に嵌入させ、前記下側雄ネジ部６９に螺合されている上下のナット部材７０，７１を締め付けて前記下の水平片７３を挾持状態とする。その後、前記と同様にして、上側雄ネジ部６５に螺合されている上下のナット部材６６，６７を所要に螺合操作することによって、上の固定部材６２を介して前記３段目のブロックＢ３の高さ調整を行うと共に、該高さ調整された状態で前記弾性止水材１２４を、止水を確保できる所要の圧縮状態とする。各高さ調整具１をこのように高さ調整することにより、３段目のブロックＢ３の鉛直度を確保できると共に、該３段目のブロックＢ３を２段目のブロックＢ２に対して所要に高さ調整できる。
【００８２】
前記上下の固定部材６１，６２の固定作業や高さ調整作業は、前記足場を利用してブロックの内部空間で行うことができる。このようにして３段目のブロックＢ３を調整した後、該３段目のブロックＢ３の上端高さに略合わせて足場を上方向に延長する。
【００８３】
このようにして３段目のブロックＢ３を弾性止水材１２４上に載置した状態で、図１０に示すように、前記連結されたＰＣ鋼棒１１の上端部分１５０が、該３段目のブロックＢ３の上端面１５１から上方に突出状態となる。
【００８４】
その後、３段目のブロックＢ３の内面６０に、図１２に示すように、前記と同様の要領で、下の固定部材６１がボルト固定される。その後、前記第４のブロック４Ｂ（４段目のブロックＢ４）を、前記ＰＣ鋼棒１１の夫々の対応の挿通孔３３に挿通させた状態で吊り下ろし、前記と同様にして、３段目のブロックＢ３の上面１５１の内外の縁部分に周設された弾性止水材１２４上に吊り下ろす。この吊り下ろしの際に、前記ガイド片７６のガイド作用によって、該４段目のブロックＢ４の水平面内における位置が所要に設定されることになる。
【００８５】
このように４段目のブロックＢ４を載置した状態で、図１２に示すように、前記ＰＣ鋼棒１１の上端部分１５３が前記４段目のブロックＢ４の上端面５２の稍上方に突出状態となるので、この上端部分１５３に、カップラ１０を介して、図７に示すように新たなＰＣ鋼棒１１を連結する。その後、図１２に示すように、前記上の固定部材６２を、前記４段目のブロックＢ４の角筒部の内面６０に前記と同様にして固定する。その後、図２１に示すと同様にして、前記調整ボルト６３の上側雄ネジ部６５と下側雄ネジ部６９を、前記上下の水平片１０６，７３に設けられている上下の欠切部１０９，８１に横方向に嵌入させ、図２２に示すと同様にして、該調整ボルト６３の下端部分１３９を前記下の水平片７３に固定状態とする。然る後、前記上側雄ネジ部６５に螺合されている上下のナット部材６６，６７を図２３〜２４に示すと同様に螺合操作することにより、４段目のブロックＢ４の高さ調整を行い、４個の高さ調整具１，１，１，１の高さ調整作用によって、４段目のブロックＢ４の鉛直度を確保すると共に、該４段目のブロックＢ４を前記３段目のブロックＢ３に対して所要に高さ調整する。この状態で、３段目のブロックＢ３と４段目のブロックＢ４との接合部分に、図２に示すと同様にして、弾性止水材１２４によって囲まれた、液状充填材の前記充填空間５９が形成されることになる。
【００８６】
その後、図７に示すように、カップラ１０でＰＣ鋼棒１１，１１相互を順次連結しながら、前記と同様にして、順次、第５のブロック５Ｂ（５段目のブロックＢ５）、第４のブロック４Ｂ（６段目のブロックＢ６）、第５のブロック５Ｂ（７段目のブロックＢ７）、第４のブロック４Ｂ（８段目のブロックＢ８）、第５のブロック５Ｂ（９段目のブロックＢ９）、第６のブロック６Ｂ（１０段目のブロックＢ１０）を、相互間に弾性止水材１２４を介在させ且つ高さ調整具１による高さ調整を行いながら積重していく。そして、該ブロックの積み上げに合わせて足場も上方に延長していく。
【００８７】
然る後、図７、図１３に示すように、最上段に位置する前記１０段目のブロックＢ１０の上端に前記屋根ブロック９を据え付ける。その際、該１０段目のブロックＢ１０の上端面１５９で突出するＰＣ鋼棒の突出部分１６０の夫々を、前記屋根ブロック９に設けられている対応の挿通孔３３に挿通させる。そして、１０段目のブロック（最上段のブロック）Ｂ１０と屋根ブロック９とは、例えば、アングル状固定片を用いて接合される。
【００８８】
このようにしてブロック積重を完了した後、図２６に示すように、前記夫々の充填空間５９にグラウト１６２ａ等の液状充填材１６２を充填するのであるが、その充填は例えば次のようにして行う。前記充填空間５９に、高さ調整具１が存在しない部分で、グラウト注入孔１６３と空気抜き孔とを設け、図２６に示すように、該グラウト注入孔１６３からグラウト注入ホース１６５を介して、前記充填空間５９にグラウト１６２ａを注入する。その際、前記のように弾性圧縮状態にある前記弾性止水材１２４が、充填されるグラウト１６２ａの漏れを防止し得る止水性を発揮する。そして、前記空気抜き孔から排気されて充填空間５９にグラウト１６２ａが円滑に注入され、前記空気抜き孔からのグラウト材の流出によって、充填空間５９にグラウトが充填されたことを確認できる。
【００８９】
充填空間５９の夫々にこのようにしてグラウト１６２ａを充填し、充填完了後、該グラウト注入孔１６３及び空気抜き孔を詰め栓等で閉じ、該充填されたグラウトを養生硬化させる。硬化したグラウトは前記グラウト充填層７（図８、図７）を構成し、その上に位置するブロックの荷重を安定的に支持できる。このようにグラウトが硬化した後、図１３に示すように、前記屋根ブロック９に設けられている挿通孔３３の前記拡大孔部４９の底面で突出状態にある緊締材１２の上端部分１６９に支持プレート１７０を嵌めると共に、該上端部分１６９を上方に引っ張って所要の緊張状態とし、且つ該緊張状態を前記止着具４７で止着し、該止着具４７を前記拡大孔部４９に収容させる。これらにより、鉛直度と水平度が正しく確保された状態でブロック相互が強固に連結一体化され、エレベータの出入口１６が所定高さ位置に正しく形成された前記エレベータシャフト２を構築できることになる。なお、止着具４７を収容した後に前記拡大孔部４９にモルタル１６８を充填する。  
【００９０】
然る後、前記上側雄ネジ部６５に螺合されている上下のナット部材６６，６７と、前記下側雄ネジ部６９に螺合されている上下のナット部材７０，７１を緩めると共に、前記第２の座金１２５と前記規制係合部１１２，８６との係合状態を解除する。その後、該調整ボルト６３を横移動させて該調整ボルト６３を前記上下の水平片１０６，７３から取り外すと共に、前記上下の固定部材６２，６１を、前記固定ボルト７９を除去することによって上下のブロックＢａ，Ｂｂから取り外す。このように高さ調整具１を取り外すために、前記昇降路１５の有効断面を狭める問題を生じさせない。そして、このように取り外した上下の固定部材６２，６１と調整ボルト６３は、別の施工現場で再利用できる。又、このように上下の固定部材６２，６１を取り外すと、取り外した跡にインサートの開口が生ずるが、本実施例においては、上下の固定部材６１，６２を上下のブロックＢａ，Ｂｂの内面６０，６０に固定することとしているため、図２７に示すように上下のブロックＢａ，Ｂｂの外面１６７，１６７に固定する場合とは異なり、上下の固定部材６１，６２を取り外した後にブロックに残るインサート７７の孔部によってエレベータシャフトの外観が損なわれる恐れがない。
【００９１】
そして本実施例においては、前記のようにブロックの内部空間で足場を設置するため、足場の組み立て作業を簡易化し得ると共に、高さ調整具１をブロックＢの内面６０に取り付ける等の作業に際して作業者の移動距離を少なくでき能率的に施工できることとなる。しかも、足場に乗った作業者は、全ての高さ調整具の装着状態を目視で容易に確認できるため、確実且つ安全な施工が可能となる。
【００９２】
もしも、高さ調整具１を図２７に示すように、ブロックＢの外面１６７に固定することとすれば、ブロックを取り囲むように足場を設ける必要があるために足場が大掛かりになって施工コストの上昇を招くばかりでなく、作業者が足場を周方向に移動しなければならないことから作業上の移動距離も大きくなって作業能率が悪い。又、必要な箇所に高さ調整具が取り付けられているか否かを確認しにくくなる不利益もある。又、ブロックの外面に高さ調整具１を設ける場合は、吊り下ろすブロックの外側の縁部１６６（図２７）が前記ガイド片７６の前記傾斜ガイド面９２や前記垂直ガイド面９１にガイドされることになるが、この際、ブロックの外面に塗装が施してある場合は、その塗装がガイド片７６に擦られて損傷されることにより、エレベータシャフトの外観が損なわれることになる。又、上下の固定部材６１，６２を取り外した後に残るインサートの孔部は適宜モルタルで埋めることになるが、モルタル埋設部がエレベータシャフトの外観を損なうことになる。かかることから、エレベーターシャフトを構築する場合は、ブロックの外面に高さ調整具１を固定することは好ましくないと言える。
【００９３】
前記緊締材による緊結は、前記高さ調整具１を取り外した後に行ってもよいのであるが、緊結の安定性向上の面からは取り外す前に行うのが好ましい。
【００９４】
前記上のブロックの高さ調整に際しては、前記とは逆に、図２８〜２９に示すように、前記上側雄ネジ部６５の上下のナット部材６６，６７を締め付けて前記上の水平片１０６を挾持状態として後、前記下側雄ネジ部６９の上下のナット部材７０，７１を螺合操作することによって、前記上の固定部材６２を介して前記上のブロックＢａの高さ調整を行うこともできる。より具体的には、図２８に示すように、前記下側雄ネジ部６９に螺合されている上のナット部材７０を緩めた状態で前記下のナット部材７１を上方向に螺合させれば、前記弾性止水材１２４を稍圧縮状態にしながら該上のブロックＢａを下方向に移動させることができる。逆に図２９に示すように、下のナット部材７１を緩めた状態で前記上のナット部材７０を下方向に螺合されることにより、前記弾性止水材１２４を弾性復元させながら前記上のブロックＢａを上方向に移動させる微調整を行うことができる。
【実施例２】
【００９５】
図３０〜３１は、前記調整ボルト６３を、下端にボルト頭部１７１が設けられた頭付きのボルトとして構成した場合を示すものであり、上下の固定部材６２，６１の構成は前記と同様である。
【００９６】
本実施例においては、該調整ボルト６３の下側雄ネジ部６９に、前記ボルト頭部１７１と協働して前記下の固定部材６１の下の水平片７３を締め付け状態に挾持するナット部材１７２が螺合される一方、前記調整ボルト６３の上側雄ネジ部６５には、前記上の固定部材６２に設けられている上の水平片１０６を上下から締め付け状態で挾持する上下のナット部材６６，６７が螺合されている。なお本実施例においても前記と同様、該ナット部材１７２，６６、６７は、前記調整ボルト６３に螺合されるナット本体１１４と、円環状を呈して比較的薄肉に形成された既製品の第１の座金１２３と、６ｍｍ程度の比較的厚肉に形成された例えば正方形板状を呈する第２の座金１２５とから構成されている。又前記ボルト頭部１７１は、ボルト頭１７３と、前記と同様構成の第１の座金１２３と第２の座金１２５とからなる。
【００９７】
かかる構成を有する高さ調整具１を用いて、例えば図３０に示すように、前記上下のブロックＢａ，Ｂｂ間に所要間隙Ｇを設けて該上のブロックＢａを該下のブロックＢｂに対して所要に高さ調整し、該高さ調整された状態を保持させるに際しては、前記上のブロックＢａを図２０に示したと同様の要領によって前記ガイド片７６にガイドさせつつ吊り下ろして、前記下のブロックＢｂの上端に設けられた前記弾性止水材１２４上に載置する。その後図３１に示すように、上側雄ネジ部６５の上下に所要間隔を置いて前記上下のナット部材６６，６７が螺合されると共に下側雄ネジ部６９に前記ナット部材１７２が螺合されてなる前記調整ボルト６３を、該上側雄ネジ部６５に螺合されている上下のナット部材６６，６７間（前記上下の第２の座金１２５，１２５間）６５ａと、前記下側雄ネジ部６９に螺合されている前記ナット部材１７２と前記ボルト頭部１７１との間（前記上下の第２の座金１２５，１２５間との間）６９ａに、前記上下の水平片１０６，７３に設けられている上下の欠切部１０９，８１が介在するように、該上下の欠切部１０９，８１に横方向に嵌入させ、前記下側雄ネジ部６９のナット部材１７２を締め付けて該ナット部材１７２と前記ボルト頭部１７１との間で前記下の水平片７３を挾持状態とする。これにより調整ボルト６３は、その下端部分１３９が該下の水平片７３に固定されて垂直立設状態となる。その後、前記上側雄ネジ部６５の上下のナット部材６６，６７を螺合操作することによって、前記上の固定部材６２を介して前記上のブロックＢａの所要の高さ調整を行うと共に、該高さ調整された状態で前記弾性止水材１２４を、止水を確保できる所要の圧縮状態とし、この状態で、図３０に示すように、前記上側雄ネジ部６５の前記上下のナット部材６６，６７を締め付けて前記上の水平片１０６を挾持状態とする。かかる上のブロックＢａの高さ調整の要領は、実施例１における場合と同様であるため、その具体的な説明は省略する。
【００９８】
その後、該弾性止水材１２４によって囲まれた充填空間５９に、グラウト等の液状充填材を充填し、該液状充填材が硬化した後に、前記と同様にして、緊締材１２でブロック相互を強固に連結一体化する。然る後、前記上側雄ネジ部６５の上下のナット部材６６，６７と前記下側雄ネジ部６９のナット部材１７２を緩めて前記調整ボルト６３を外方に向けて横移動させることにより該調整ボルト６３を前記上下の水平片１０６，７３から取り外すと共に、前記上下の固定部材６２，６１を上下のブロックＢｂａ，Ｂｂから取り外す。
【実施例３】
【００９９】
図３２〜３３は、本発明に係る高さ調整具１のその他の実施例を示すものであり、調整ボルト６３を、上端にボルト頭部１７１が設けられた頭付きのボルトとして構成した場合を示すものであり、上下の固定部材６２，６１の構成は前記と同様である。
【０１００】
本実施例においては、該調整ボルト６３の上側雄ネジ部６５に、前記ボルト頭部１７１と協働して前記上の固定部材６２に設けられている上の水平片１０６を締め付け状態に挾持するナット部材１７５が螺合される一方、前記調整ボルト６３の下側雄ネジ部６９には、前記下の固定部材６１に設けられている下の水平片７３を上下から締め付け状態で挾持する上下のナット部材７０，７１が螺合されている。なお本実施例においても前記と同様、該ナット部材１７５，７０，７１は、前記調整ボルト６３に螺合されるナット本体１１４と、円環状を呈して比較的薄肉に形成された既製品の第１の座金１２３と、６ｍｍ程度の比較的厚肉に形成された例えば正方形板状を呈する第２の座金１２５とから構成されている。又前記ボルト頭部１７１は、ボルト頭１７３と、前記と同様構成の第１の座金１２３と第２の座金１２５とからなる。
【０１０１】
かかる構成を有する高さ調整具１を用いて、例えば図３２に示すように、前記上下のブロックＢａ，Ｂｂ間に所要間隙Ｇを設けて該上のブロックＢａを該下のブロックＢｂに対して所要に高さ調整し、該高さ調整された状態を保持させるに際しては、先ず図３３に示すように、前記上のブロックＢａを図２０に示したと同様の要領によって前記ガイド片７６にガイドさせつつ吊り下ろして、前記下のブロックＢｂの上端に設けられた前記弾性止水材１２４上に載置する。
【０１０２】
その後図３３に示すように、下側雄ネジ部６９の上下に所要間隔を置いて前記上下のナット部材７０，７１が螺合されると共に上側雄ネジ部６５に前記ナット部材１７５が螺合されてなる前記調整ボルト６３を、前記上側雄ネジ部６５に螺合されている前記ナット部材１７５と前記ボルト頭部１７１との間（前記上下の第２の座金１２５，１２５間との間）６５ａと、前記下側雄ネジ部６９に螺合されている上下のナット部材７０，７１間（前記上下の第２の座金１２５，１２５間）６９ａに、前記上下の水平片１０６，７３に設けられている上下の欠切部１０９，８１が介在するように、該上下の欠切部１０９，８１に横方向に嵌入させ、前記上側雄ネジ部６５のナット部材１７５を締め付けて該ナット部材１７５と前記ボルト頭部１７１との間で前記上の水平片１０６を挾持状態とする。
【０１０３】
これにより調整ボルト６３は、その上端部分１７６が該上の水平片１０６に固定されて垂下状態となる。その後、前記下側雄ネジ部６９の上下のナット部材７０，７１を螺合操作することによって、前記上の固定部材６２を介して前記上のブロックＢａの所要の高さ調整を行うと共に、該高さ調整された状態で前記弾性止水材１２４を、止水を確保できる所要の圧縮状態とし、この状態で、図３２に示すように、前記下側雄ネジ部６９の前記上下のナット部材７０，７１を締め付けて前記下の水平片７３を挾持状態とする。かかる上のブロックＢａの高さ調整の要領は、実施例１における場合と同様であるため、その具体的な説明は省略する。
【０１０４】
その後、該弾性止水材１２４によって囲まれた充填空間５９に、グラウト等の液状充填材を充填し、該液状充填材が硬化した後に、前記と同様にして、緊締材１２でブロック相互を強固に連結一体化し、然る後、前記上側雄ネジ部６５の前記ナット部材１７５と前記下側雄ネジ部６９の上下のナット部材７０，７１を緩めて前記調整ボルト６３を外方に向けて横移動させることによって該調整ボルト６３を前記上下の水平片１０６，７３から取り外すと共に、前記上下の固定部材６２，６１を上下のブロックＢｂａ，Ｂｂから取り外す。
【実施例４】
【０１０５】
図３４〜３６は、本発明に係る高さ調整具１のその他の実施例を示すものであり、実施例１と比較した場合、上下の固定部材６２，６１の構成が異なるが、調整ボルト６３として両切りボルトを用い、該両切りボルトの上側雄ネジ部６５に上下のナット部材６６，６７が螺合され、その下側雄ネジ部６９に上下のナット部材７０，７１が螺合されている点は前記と同様である。
【０１０６】
該下の固定部材６１は、下のブロックＢｂの内面６０の上端側の部分６０ａに埋設されたインサート１７７に螺合されるネジ軸部１７９の外端部に、水平状態に突出する比較的幅狭の矩形板状の下の水平片７３が設けられ、該下の水平片７３には、先端で開放して基端側に延びる欠切部８１が設けられており、該欠切部８１の両側をなす突出部分１８０，１８０の上面１８１，１８１に、突部からなる規制係合部８６，８６が設けられている。  
【０１０７】
又前記上の固定部材６２は前記下の固定部材６１と同様の構成を有しており、前記上のブロックＢａの内面６０の下端側の部分６０ｂに埋設されたインサート１８２に螺合されるネジ軸部１８３の外端部に、水平状態に突出する比較的幅狭の矩形板状の上の水平片１０６が設けられ、該上の水平片１０６には、先端で開放して基端側に延びる欠切部１０９が設けられており、該欠切部１０９の両側をなす突出部分１８５，１８５の上面１８６，１８６に、突部からなる規制係合部１１２，１１２が設けられている。
【０１０８】
かかる構成を有する上下の固定部材６２，６１は、そのネジ軸部１８３，１７９が前記上下のインサート１８２，１７７に所要長さ螺合され、上下の欠切部１０９，８１が上下対向状態となるように、即ち、上下の欠切部１０９，８１の軸線が上下方向を向くように位置決めされる。本実施例においては該位置決め状態を固定するために、該ネジ軸部１８３，１７９を螺合した後に、該ネジ軸部１８３，１７９に座金１８７を介して予め螺合しておいた固定ナット１８９，１８９を締め付ける。なお本実施例においては、上のブロックＢａを下のブロックＢｂに向けて吊り下ろす際に該上のブロックＢａの縁部９３をガイドするガイド片７６が前記下の固定部材６１に設けられる。該ガイド片７６は、例えば図３４に示すように、上下方向に長い長片状に形成されると共に、垂直ガイド片部１８４の上端に、外方に向けて上方に傾斜する傾斜ガイド片部１９０が連設されている。そして、該垂直ガイド片部１８４の下端部分１９１に、前記下の固定部材６１のネジ軸部１７９を挿通させる挿通孔１９２が設けられている。
【０１０９】
然して図３５〜３６に示すように、座金１８７を介在させて前記ネジ軸部１７９を前記挿通孔１９２に挿通させ、この状態で該ネジ軸部１７９を前記インサート１７７に所定長さ螺合させ、前記下の水平片７３の向きを、前記欠切部８１の軸線が上下方向となるように位置決めして後、前記固定ナット１８９を締め付けると、下の水平片７３が所要の突出状態で固定されると共に、前記ガイド片７６が、その垂直ガイド片部１８４が前記下のブロックＢｂの上端面１９５よりも上方に突出した垂直状態で固定されることになる。
【０１１０】
かかる構成を有する高さ調整具１を用いてブロックを積重する方法は実施例１で説明したと同様であり、図３５、図３６には、上下のブロックＢａ，Ｂｂ間に所要間隙Ｇを設けて該上のブロックＢａを該下のブロックＢｂに対して高さ調整し、該高さ調整された状態を保持している状態が示されている。
【実施例５】
【０１１１】
本発明は、前記実施例で示したものに限定されるものでは決してなく、「特許請求の範囲」の記載内で種々の設計変更が可能であることはいうまでもない。その一例を挙げれば次のようである。
【０１１２】
(1) 前記実施例においては、ガイド片７６を下の固定部材６１に設けているが、図３７〜３８に示すように上の固定部材６２に設けてもよい。この場合は例えば、前記上の垂直固定片１０５の下端にガイド片７６が下方に突出する如く設けられる。該ガイド片７６は、垂直ガイド片部８９の下端に、外方に向けて下方に傾斜する傾斜ガイド片部９０が連設されてなり、該傾斜ガイド片部９０の内面が、前記下のブロックＢｂの縁部９３をガイドする傾斜ガイド面９２とされると共に、前記垂直ガイド片部８９の内面が、該縁部９３を上下方向でガイドする垂直ガイド面９１とされている。このように構成した場合は、上のブロックＢａを弾性止水材１２４上に載せるに先立って、該上の固定部材６２を、インサート７７に螺合する固定ボルト７９を介して該上のブロックＢａの内面６０の下端部分６０ｂに固定しておく。
図３９は、ガイド片７６の他の態様を示すものであり、例えば下の垂直固定片７２の両側端に張り出すように設けられている。該ガイド片７６は、上の垂直固定片１０５に設けられてもよい。
ガイド片７６を上の固定部材６２に設ける構成は、実施例４における高さ調整具１における場合にも同様に採用でき、この場合は、前記ガイド片７６を上下逆向きにした状態で、前記挿通孔１９２にネジ軸部１８３が挿通せしめられて、該ガイド片７６が上のブロックＢａの内面６０の下端側の部分６０ｂに下方突出状態に固定される。
なお、前記上下の固定部材６２，６１が、かかるガイド片７６を具えないこともある。  
【０１１３】
(2) 上下の水平片１０６，７３に規制係合部１１２，８６を設ける場合、該規制係合部１１２，８６は図４０に示すように、該上下の水平片１０６，７３の上面１１０，７４に設けられた凹部１９６，１９７の先端部分１９６ａ，１９７ａとして構成されることもある。この場合は図４１〜４２に示すように、該先端部分１９６ａ，１９７ａが前記ナット部材（本実施例においては前記第２の座金１２５の先端部分８５，８５）６６，７０と係合することにより、調整ボルト６３が前記欠切部１０９，８１の開放端１２２，１１８に向けて移動するのが阻止される。
突部や凹部等として設けられる規制係合部１１２，８６は、該規制係合部１１２，８６とナット部材との係合状態を目視により容易に確認できる上からは、上下の水平片１０６，７３の上面１１０，７４に設けるのが好ましいが、該上下の水平片１０６，７３の下面にのみ設けられてもよい。或いは上面と下面の双方に設けられてもよい。
なお、かかる構成の規制係合部１１２，８６は、前記上下のナット部材６６，６７、７０，７１や前記ナット部材１７２、前記ナット部材１７５を締め付けた状態で、調整ボルト６３が不用意に欠切部１０９，８１の開放端１２２，１１８に向けて移動する恐れがない場合は省略されることもある。
【０１１４】
(3) 前記上下のナット部材６６，６７、７０，７１は、前記第２の座金１２５を省略し、前記ナット本体１１４と第１の座金１２３とから構成されることもある。又、ナット本体１１４と座金とを一体化したものとして構成されることもある。
【０１１５】
(4) 図４３〜４４は、上下の水平片１０６，７３（図４３〜４４においては上の水平片１０６に代表させている）に設ける欠切部１０９，８１（図４３〜４４においては上の水平片１０６に代表させている）の他の態様を示すものであり、図４３に示す上下の欠切部１０９，８１は、上下の水平片１０６，７３の先端８２，８２で開放して基端側に延長し且つその内端でＬ字状に屈曲する如く形成されている。又図４４に示す上下の欠切部１０９，８１は、上下の水平片１０６，７３の側縁２０３で開放し、対向側縁２０５に向かって延びるＵ字状に形成されている。
【０１１６】
(5) 下の固定部材６１を、下の垂直固定片７２と上の水平片７３とを具えるアングル状に構成すると共に、上の固定部材６２を、上の垂直固定片１０５と上の水平片１０６とからなるアングル状に構成する場合、実施例１においては、該上下の垂直固定片１０５，７２を、その両側において固定ボルト７９，７９でブロックＢに固定しているが、その上下において固定ボルト７９でブロックＢに固定してもよい。
【０１１７】
(6) 本発明が応用されるブロックが、前記のようなエレベータシャフトを構成するブロックとして応用される場合、これらのブロックが前記ハンチ１２９を具えないものとして構成されることもある。
又本発明が応用されるブロックは、前記の他、煙突や擁壁等の構築物を構成するブロックであることもある。そしてこれらのブロックは、筒状を呈するものの他、中が詰まったブロックであることもある。
前記エレベータシャフトを構築する場合は、施工の安定性を確保するために、ブロックの四隅の４箇所に高さ調整具１を装着することとしているが、ブロックの形態やその用途等に応じ、所要間隔を隔てた３箇所に装着されることの他、５箇所や６箇所に装着されることもある。
【０１１８】
(7) 本発明に係るブロック積重方法においては、上下のブロック間に、弾性止水材１２４を、周方向に連続した状態で且つ圧縮状態で介在させるが、該弾性止水材１２４の介在状態は、図１６に示すような一連状態のものや、内外二重環状のものの他、中が詰まったブロックであるときは一重環状とされることもある。
又該弾性止水材１２４は、前記したＥＰＤＭ等のスポンジ状を呈するものの他、発泡していない弾性止水材であってもよい。
又、弾性止水材１２４によって囲まれた前記充填空間５９に充填される液状充填材は、前記したグラウトの他、樹脂液であってもよい。
前記実施例においては、該弾性止水材１２４は、上のブロックＢａを載置するに先立って下のブロックＢｂの上端面に固定することとしているが、これとは逆に、載置される上のブロックの下端面に固定しておいてもよい。
【０１１９】
(8) 積重状態にあるブロック相互は、前記したようにＰＣ鋼棒からなる緊締材で緊締一体化されることの他、鉄筋を用いて一体化されることもあり、或いは、鉄板等を用いた連結板でブロック相互を一体化することもある。更には、ブロック相互を、グラウトを介在させた凹凸の嵌め合わせによって接合することもある。
なお、充填空間５９に液状充填材１６２が充填されるのみで、前記緊締材や鉄筋、連結板等の連結部材を用いない場合もある。
【０１２０】
(9) 上下の固定部材６２，６１は、水平状態に突出する上の水平片１０６や下の水平片７３を具えるものであれば、その構成は前記したものには特定されず、角材や溝形鋼を用いる等して各種に構成され得る。
【０１２１】
(10)規制係合部を突部として形成する場合、該突部は、座金の先端部分の形状が円形の場合は湾曲面に形成されてもよい等、座金の先端部分の形状に合わせて所要に設定できる。  
【０１２２】
(11)前記エレベータ出入口１６は、各階の廊下に連なるように設けられることもある。
【図面の簡単な説明】
【０１２３】
【図１】高さ調整具をその使用状態で示す斜視図である。
【図２】その断面図である。
【図３】その断面図の部分拡大図である。
【図４】エレベーターシャフトを示す断面図である。
【図５】エレベーターシャフトを示す斜視図である。
【図６】エレベーターシャフトを構成するブロックを分解して示す斜視図である。
【図７】エレベーターシャフトのブロック相互の連結状態を示す部分断面図である。
【図８】基礎部と１段目のブロックとの連結状態を示す断面図である。
【図９】高さ調整具を用いて、１段目のブロック上に２段目のブロックを積重した状態を示す断面図である。
【図１０】高さ調整具を用いて、２段目のブロック上に３段目のブロックを積重した状態を示す断面図である。
【図１１】２段目のブロックと３段目のブロックとの連結状態を示す断面図である。
【図１２】高さ調整具を用いて、３段目のブロック上に４段目のブロックを積重した状態を示す断面図である。
【図１３】１０段目のブロックと屋根ブロックとの連結状態を示す断面図である。
【図１４】本発明に係る高さ調整具を説明する分解斜視図である。
【図１５】下の固定部材を示す斜視図である。
【図１６】基礎部上に１段目のブロックを積重した状態を示す斜視図である。
【図１７】その上端部分を示す断面図である。
【図１８】第１のブロックに下の固定部材を固定した状態を示す平面図である。
【図１９】１段目のブロック上に２段目のブロックを積重する工程を説明する斜視図である。
【図２０】その断面図である。
【図２１】１段目のブロック上に２段目のブロックを積重した状態で上下の固定部材に調整ボルトを装着した状態を示す断面図である。
【図２２】調整ボルトの下端部分を下の固定部材に固定した状態を示す断面図である。
【図２３−１】２段目のブロックの高さ調整の工程を説明する断面図である。
【図２３−２】２段目のブロックの高さ調整の他の工程を説明する断面図である。
【図２４】２段目のブロックに下の固定部材を取り付けた平面図である。
【図２５】３段目のブロックの高さ調整の工程を説明する断面図である。
【図２６】ブロックの積重完了後に、ブロック相互間に形成された充填空間にグラウトを充填する作業工程を説明する断面図である。
【図２７】ブロックの外面に高さ調整具を装着する場合の問題点を説明する断面図である。
【図２８】ブロックの高さ調整を行う他の作業工程を説明する断面図である。
【図２９】ブロックの高さ調整を行う他の作業工程を説明する断面図である。
【図３０】下端にボルト頭部を具える調整ボルトを用いてブロックの高さ調整を行う作業工程を説明する断面図である。
【図３１】下端にボルト頭部を具える調整ボルトを用いてブロックの高さ調整を行う作業工程を説明する断面図である。
【図３２】上端にボルト頭部を有する調整ボルトを用いてブロックの高さ調整を行う作業工程を説明する断面図である。
【図３３】上端にボルト頭部を有する調整ボルトを用いてブロックの高さ調整を行う作業工程を説明する断面図である。
【図３４】本発明に係る高さ調整具の他の構成を説明する分解斜視図である。
【図３５】その使用状態を示す斜視図である。
【図３６】その断面図である。
【図３７】ガイド片が設けられた上の固定部材を示す斜視図である。
【図３８】そのガイド片のブロックガイド状態を示す断面図である。
【図３９】ガイド片の他の態様を示す斜視図である。
【図４０】凹部としての規制係合部が設けられた上下の固定部材を示す斜視図である。
【図４１】その使用状態を示す斜視図である。
【図４２】その使用状態を示す断面図である。
【図４３】欠切部の他の態様を示す平面図である。
【図４４】欠切部のその他の態様を示す平面図である。
【符号の説明】
【０１２４】
１  高さ調整具
２  エレベーターシャフト
１１  ＰＣ鋼棒
１２  緊締材
５９  充填空間
６１  下の固定部材
６２  上の固定部材
６３  調整ボルト
６５  上側雄ネジ部
６６  上のナット部材
６７  下のナット部材
６９  下側雄ネジ部
７０  上のナット部材
７１  下のナット部材
７３  下の水平片
７６  ガイド片
７９  固定ボルト
８６  規制係合部
１０５  上の垂直固定片
１０６  上の水平片
１０９  欠切部
１１２  規制係合部
１２３  第１の座金
１２５  第２の座金
１２４  弾性止水片
１７１  ボルト頭部
１７２  ナット部材
１７５  ナット部材
【図１】
2007269454.tif 000003
【図２】
2007269454.tif 000004
【図３】
2007269454.tif 000005
【図４】
2007269454.tif 000006
【図５】
2007269454.tif 000007
【図６】
2007269454.tif 000008
【図７】
2007269454.tif 000009
【図８】
2007269454.tif 000010
【図９】
2007269454.tif 000011
【図１０】
2007269454.tif 000012
【図１１】
2007269454.tif 000013
【図１２】
2007269454.tif 000014
【図１３】
2007269454.tif 000015
【図１４】
2007269454.tif 000016
【図１５】
2007269454.tif 000017
【図１６】
2007269454.tif 000018
【図１７】
2007269454.tif 000019
【図１８】
2007269454.tif 000020
【図１９】
2007269454.tif 000021
【図２０】
2007269454.tif 000022
【図２１】
2007269454.tif 000023
【図２２】
2007269454.tif 000024
【図２３−１】
2007269454.tif 000025
【図２３−２】
2007269454.tif 000026
【図２４】
2007269454.tif 000027
【図２５】
2007269454.tif 000028
【図２６】
2007269454.tif 000029
【図２７】
2007269454.tif 000030
【図２８】
2007269454.tif 000031
【図２９】
2007269454.tif 000032
【図３０】
2007269454.tif 000033
【図３１】
2007269454.tif 000034
【図３２】
2007269454.tif 000035
【図３３】
2007269454.tif 000036
【図３４】
2007269454.tif 000037
【図３５】
2007269454.tif 000038
【図３６】
2007269454.tif 000039
【図３７】
2007269454.tif 000040
【図３８】
2007269454.tif 000041
【図３９】
2007269454.tif 000042
【図４０】
2007269454.tif 000043
【図４１】
2007269454.tif 000044
【図４２】
2007269454.tif 000045
【図４３】
2007269454.tif 000046
【図４４】
2007269454.tif 000047